(57)【要約】非ライセンス無線サービス（１２６）は、ライセンス無線サービス（１０６）のインタフェース・プロトコルを生成してライセンス無線サービスと非ライセンス無線サービスとの間の通信セッションの透過的な遷移を提供するように適合されている。一実施形態では、移動局（１０２）はライセンス無線サービスおよび非ライセンス無線サービスのためのレベル１、レベル２、およびレベル３プロトコルを含む。構内基地局（１２８）と構内ネットワーク制御装置は、非ライセンス無線サービスからライセンス無線通信サービスの標準の基地局（１０８）制御装置インタフェースへのプロトコル変換を提供する。
2006503500.tif 000002
【特許請求の範囲】
【請求項１】
システムであって、
移動局を備え、該移動局が、
通信ネットワークがサービスを提供するライセンス無線チャネルを有するライセンス無線サービスのための第１のレベル１、第１のレベル２、第１のレベル３プロトコルと、
前記移動局が非ライセンス無線サービス・エリア内にある時に活動化される非ライセンス無線サービスのための第２のレベル１、第２のレベル２、第２のレベル３プロトコルとを含み、前記システムが、さらに、
前記移動局から非ライセンス無線チャネルを受信するように動作可能な構内基地局と、
前記構内基地局に結合され前記通信ネットワークとの間で信号を交換するように構成された構内ネットワーク制御装置とを備え、
前記ネットワーク制御装置および前記構内基地局が、前記第２のレベル１、前記第２のレベル２、前記第２のレベル３プロトコルを前記通信ネットワークが認識する標準の基地局制御装置インタフェース・プロトコルに変換するように構成され、
前記移動局、前記構内基地局、および前記構内ネットワーク制御装置が、前記ライセンス・ネットワークの前記標準の基地局制御装置インタフェース・プロトコルを用いて前記非ライセンス無線通信チャネル上で通信セッションを確立するように構成されるシステム。
【請求項２】
前記移動局、前記構内基地局、および前記ネットワーク制御装置が、前記ライセンス無線チャネルから前記非ライセンス無線チャネルへのハンドオーバを開始する前記通信ネットワークへのサービス要求メッセージを生成するように構成される、請求項１に記載のシステム。
【請求項３】
前記通信ネットワークが音声データ用の移動交換局を備える、請求項１に記載のシステム。
【請求項４】
前記移動局が、前記非ライセンス無線サービス・エリア内にあることの検出に続けて前記構内ネットワーク制御装置にそのロケーションを登録するように構成される、請求項１に記載のシステム。
【請求項５】
前記第２のレベル１プロトコルがＢｌｕｅｔｏｏｔｈプロトコルを含む、請求項１に記載のシステム。
【請求項６】
前記第２のレベル１プロトコルが無線ローカル・エリア・ネットワーク・プロトコルを含む、請求項１に記載のシステム。
【請求項７】
前記第２のレベル３プロトコルが前記非ライセンス無線システム用に適合された無線リソース・サブレイヤを含み、アクセス・モード・スイッチがトリガされて前記第１のレベル３プロトコルと共用される移動管理サブレイヤと呼管理サブレイヤとを使用する、請求項１に記載のシステム。
【請求項８】
前記移動局がそのロケーションを前記構内ネットワーク制御装置に登録するように構成される、請求項１に記載のシステム。
【請求項９】
非ライセンス無線サービスとライセンス無線サービスとを用いて無線サービスを提供する方法であって、
第１の動作モードで、通信ネットワークに関連するライセンス無線チャネルを使用して移動局との通信セッションを実行するステップと、
前記移動局が前記非ライセンス無線サービスのサービス・エリア内にあることの検出に応答して、前記非ライセンス無線サービスの前記移動局のレベル１、レベル２、およびレベル３プロトコルを生成するステップと、
前記非ライセンス無線サービスのレベル１、レベル２、およびレベル３プロトコルを前記通信ネットワークに適合する基地局制御装置インタフェースのフォーマットに変換するステップと、
前記非ライセンス無線サービスの非ライセンス無線チャネルを用いて通信セッションを実行する要求を前記基地局制御装置のフォーマットで前記通信ネットワークに送信するステップとを含む方法。
【請求項１０】
前記非ライセンス・サービスのロケーション更新を生成するステップと、
前記ロケーション更新を前記基地局制御装置のフォーマットで前記通信ネットワークに送信するステップとをさらに含む、請求項９に記載の方法。
【請求項１１】
前記移動局が前記非ライセンス無線サービスの前記サービス・エリア内にあることの前記検出に応答して、構内ネットワーク制御装置に登録するステップをさらに含む、請求項９に記載の方法。
【請求項１２】
前記変換ステップが構内基地局と構内ネットワーク制御装置のうちの少なくとも一方で実行される、請求項９に記載の方法。
【請求項１３】
前記レベル１プロトコルがＢｌｕｅｔｏｏｔｈレベル１プロトコルである、請求項９に記載の方法。
【請求項１４】
前記レベル２プロトコルがＢｌｕｅｔｏｏｔｈレベル２プロトコルである、請求項１３に記載の方法。
【請求項１５】
前記レベル１プロトコルが無線ローカル・エリア・ネットワーク・プロトコルである、請求項９に記載のシステム。
【請求項１６】
前記レベル２プロトコルが無線ローカル・エリア・ネットワークのレベル２プロトコルである、請求項１５に記載のシステム。
【請求項１７】
前記移動局が前記非ライセンス無線サービスの前記サービス・エリアからの離脱の検出に応答して、離脱状態を示すメッセージを前記通信ネットワークに送信し、それにより、前記通信ネットワークが前記ライセンス無線サービスへのハンドオーバを開始するステップをさらに含む、請求項９に記載の方法。
【請求項１８】
非ライセンス無線チャネルおよびライセンス無線チャネルを用いて無線サービスを提供する方法であって、
第１のモードで、ライセンス無線チャネルを用いて通信セッションを実行するステップと、
第２のモードで、前記非ライセンス無線チャネルを用いて通信セッションを実行するためのプロトコルを生成するステップであって、前記プロトコルが前記ライセンス無線チャネルにサービスを提供する通信ネットワークが受信する基地局制御装置インタフェースのフォーマットであるステップと、
前記ライセンス無線チャネルと前記非ライセンス無線チャネルの間のハンドオーバを開始するよう前記通信ネットワークをトリガする基地局制御装置サービス要求のエミュレーションを行うステップとを含む方法。
【請求項１９】
通信セッションを別の基地局制御装置にハンドオフする基地局制御装置要求のエミュレーションを行うステップをさらに含む、請求項１８に記載の方法。
【請求項２０】
１つの電話番号が前記ライセンス無線サービスまたは前記非ライセンス無線サービスで通信セッションを提供するステップに関連する、請求項１８に記載の方法。
【発明の詳細な説明】
【技術分野】
【０００１】
本発明は、概して、電気通信に関する。より詳細には、本発明は、ライセンス無線システムと非ライセンス無線システムにまたがって音声およびデータ通信サービスをシームレスに統合する技法に関する。
【背景技術】
【０００２】
ライセンス無線システムは、無線送受信機を使用する個人に移動体無線通信を提供する。ライセンス無線システムは、公衆セルラー電話システムおよび／またはパーソナル通信サービス（ＰＣＳ）電話システムを指す。無線送受信機は、セルラー電話機、ＰＣＳ電話機、無線対応型携帯情報端末、無線モデムなどを含む。
【０００３】
ライセンス無線システムは政府からライセンスを許諾された信号周波数を使用する。これらの周波数へのアクセスには高額な料金が支払われる。ライセンス周波数上での通信をサポートするために高価な基地局装置が使用される。基地局は通常、互いに約１マイル離して設置されている。その結果、無線システムのサービス品質（音声品質とデータ転送速度）は陸線（有線）接続が供給するサービス品質よりも大幅に劣る。したがって、ライセンス無線システムのユーザは比較的低い品質のサービスに比較的高い料金を支払っている。
【０００４】
陸線（有線）接続は広範に配備され、一般に、高品質の音声および高速のデータ・サービスを低コストで運用する。陸線接続の問題は、ユーザの移動性が制限されることである。従来、陸線への物理接続が必要であった。
【０００５】
現在、非ライセンス無線通信システムが配備されて陸線を使用する個人の移動性が増している。そのようなシステムに関連する移動範囲は、通常、１００メートル以下である。一般の非ライセンス無線通信システムは陸線への物理的接続機能を備えた基地局を含む。基地局は、基地局から近い距離で動作する無線携帯電話との通信を容易にするＲＦ送受信機を有する。したがって、このオプションは、低コストで高品質のサービスを提供するが、サービスは基地局から近い距離しか広がらない。
【０００６】
以上から、現在の陸線システムとライセンス無線システムに関する大きな欠点が存在する。このために、個人は普通、陸線通信用に１つの電話番号を有し、ライセンス無線通信用に１つの電話番号を有する。これは個人にとって追加の出費と不便になる。個人が陸線通信とライセンス無線通信の両方に共通の１つの電話番号を使用できることが極めて望ましい。理想的には、そのようなシステムによって、個人は２つのシステム間のシームレスなハンドオフによって各システムの利点を利用することができるであろう。
【特許文献１】米国特許出願第１０／１１５，８３３号
【発明の開示】
【０００７】
ライセンス無線システムと非ライセンス無線システムとを統合する方法は、第１の無線システムで受信可能な第１の領域で無線通信セッションを開始するステップと、第２の無線システムで受信可能な第２の領域で無線通信セッションを維持するステップとを含む。第１の無線システムはライセンス無線システムと非ライセンス無線システムとを含むグループから選択される。第２の無線システムはライセンス無線システムと非ライセンス無線システムとを含むグループの非選択システムである。
【０００８】
また、本発明によって加入者は、通信を途絶させることなく非ライセンス基地局の範囲外にローミングすることができる。その代わりに、非ライセンス基地局の範囲外にローミングすることで、通信サービスがライセンス無線システムによって自動的に提供されるシームレスなハンドオフ（ハンドオーバとも呼ばれる）が実行される。
【０００９】
システムの一実施形態では、移動局はライセンス無線サービスの第１のレベル１、レベル２、およびレベル３プロトコルを含む。移動局は、また、非ライセンス無線システムの第２のレベル１、レベル２、およびレベル３プロトコルを含む。構内基地局を運用して、移動局が非ライセンス無線サービス・エリア内にある時に移動局から非ライセンス無線チャネルを受信することができる。構内ネットワーク制御装置は、構内基地局に結合され、通信ネットワークとの間で信号を交換するように適合されている。構内ネットワーク制御装置および構内基地局は、第２のレベル１、第２のレベル２、および第２のレベル３プロトコルを通信ネットワークが認識する標準の基地局制御装置インタフェースに変換するように構成されている。移動局、構内基地局、および構内ネットワーク制御装置は、移動局が非ライセンス無線サービス・エリア内にある時に基地局制御装置インタフェースを用いて非ライセンス無線チャネル上に通信セッションを確立するように構成されている。
【００１０】
（図面の簡単な説明）
本発明は、添付の図面に関連する以下の詳細説明を参照することでよりよく理解できるだろう。
同様の参照番号は複数の図面で一貫して対応する部分を指す。
【００１１】
図１Ａは、本発明の一実施形態による構内アクセス・ネットワーク（ＩＡＮ）移動体サービス・ソリューションの概要を示す図である。
【００１２】
図１Ｂは、本発明の一実施形態による移動機のプロトコル・レイヤを示す図である。
【００１３】
図１Ｃは、本発明の一実施形態によるプロトコル変換の方法を示す図である。
【００１４】
図２は、本発明の一実施形態による２つの構内アクセス・ネットワーク（ＩＡＮ）オプションを示す図である。
【００１５】
図３は、本発明の一実施形態による構内アクセス・ネットワーク（ＩＡＮ）広帯域アーキテクチャを示す図である。
【００１６】
図４は、本発明の一実施形態によるＩＡＮハイブリッド・アーキテクチャを示す図である。
【００１７】
図５は、本発明の一実施形態によるライセンス無線サービスおよび非ライセンス無線サービスのレベル１、レベル２、およびレベル３レイヤのＧＳＭ移動機の構成要素を示す図である。
【００１８】
図６は、本発明の一実施形態によるＧＳＭライセンス無線サービスおよび非ライセンス無線サービスのレベル１、レベル２、およびレベル３レイヤの移動機の構成要素を示す図である。
【００１９】
図７Ａは、本発明の一実施形態によるＧＳＭ移動管理（ＭＭ）および接続管理（ＣＭ）信号方式とＩＡＮ専用信号方式とをサポートするＩＡＮプロトコル・アーキテクチャを示す図である。
【００２０】
図７Ｂは、本発明の一実施形態による本発明の一実施形態によるＧＳＭ移動管理（ＭＭ）および接続管理（ＣＭ）信号方式とＩＡＮ専用信号方式とをサポートするＩＡＮプロトコル・アーキテクチャを示す図である。
【００２１】
図８は、本発明の一実施形態によるＧＳＭ音声伝送をサポートするＩＡＮプロトコル・アーキテクチャを示す図である。
【００２２】
図９は、本発明の一実施形態によるＧＰＲＳ移動機内のレベル１、レベル２、およびレベル３レイヤの構成要素を示す図である。
【００２３】
図１０は、本発明の一実施形態によるＧＰＲＳ移動機内のレベル１、レベル２、およびレベル３レイヤの構成要素を示す図である。
【００２４】
図１１Ａは、本発明の一実施形態によるＧＰＲＳデータ送信をサポートするＩＡＮプロトコル・アーキテクチャを示す図である。
【００２５】
図１１Ｂは、本発明の一実施形態によるＧＰＲＳデータ送信をサポートするＩＡＮプロトコル・アーキテクチャを示す図である。
【００２６】
図１２は、本発明の一実施形態による従来のＧＳＭ／ＧＰＲＳ登録エリア概念を示す図である。
【００２７】
図１３は、本発明の一実施形態によるライセンス無線ネットワークと非ライセンス無線ネットワークの登録エリアを示す図である。    
【００２８】
図１４は、本発明の一実施形態によるライセンス無線ネットワークと非ライセンス無線ネットワークの登録エリアを示す図である。
【００２９】
図１５は、本発明の一実施形態によるいくつかの可能なＧＳＭおよびＩＡＮ受信可能範囲のシナリオを示す図である。
【００３０】
図１６は、本発明の一実施形態による、ＧＳＭおよびＩＡＮ受信可能範囲を備えたエリアで移動局が電源投入された場合の通常の成功例に含まれるメッセージ・フローの例を示す図である。
【００３１】
図１７は、本発明の一実施形態による、ＧＳＭおよびＩＡＮ受信可能範囲を備えたエリアで移動局が電源投入された場合の通常の成功例に含まれるメッセージ・フローの例を示す図である。
【００３２】
図１８は、本発明の一実施形態による、空きモードで電源が入った移動局がＧＳＭ受信可能範囲からＩＡＮ受信可能範囲に入った場合の通常の成功例に含まれるメッセージ・フローの例を示す図である。
【００３３】
図１９は、本発明の一実施形態による、電源が入った空き状態の移動局が、一時的な不在に続いてタイマＴ１の満了前にＩＡＮ受信可能範囲に再度入った場合の通常の成功例に含まれるメッセージ・フローの例を示す図である。
【００３４】
図２０は、本発明の一実施形態による、電源が入った移動局が、一時的な不在とタイマＴ１の満了に続いて、タイマＴ２の満了前にＩＡＮ受信可能範囲に再度入った場合の通常の成功例に含まれるメッセージ・フローの例を示す図である。
【００３５】
図２１は、本発明の一実施形態による、ＩＢＳおよび移動局がＩＡＮ接続が失われたことを検出し、タイマＴ１とＴ２の両方が満了した場合の通常の成功例に含まれるメッセージ・フローの例を示す図である。
【００３６】
図２２は、本発明の一実施形態によるＩＡＮ広帯域アーキテクチャの音声ベアラ確立の第１段階のメッセージ・フローの例を示す図である。
【００３７】
図２３は、本発明の一実施形態によるＩＡＮハイブリッド・アーキテクチャのベアラ確立の第１段階のメッセージ・フローの例を示す図である。
【００３８】
図２４は、本発明の一実施形態によるハイブリッド・アーキテクチャに関連する最適化されたＩＡＮ音声ベアラ確立プロセス内のメッセージ・フローの例を示す図である。
【００３９】
図２５は、本発明の一実施形態による移動局発信呼の通常の成功例に含まれるメッセージ・フローの例を示す図である。
【００４０】
図２６は、本発明の一実施形態による移動局着信呼の通常の成功例に含まれるメッセージ・フローの例を示す図である。
【００４１】
図２７は、本発明の一実施形態による、ＩＡＮモード呼がＩＡＮ移動局によって解放された場合の通常の成功例に含まれるメッセージ・フローの例を示す図である。
【００４２】
図２８は、本発明の一実施形態による、ＩＡＮモード呼が当該呼の非ＩＡＮの相手方によって解放された場合の通常の成功例に含まれるメッセージ・フローの例を示す図である。
【００４３】
図２９は、本発明の一実施形態による、ＤＴＡＰ補足サービス・メッセージの中継の一例を示す図である。
【発明を実施するための最良の形態】
【００４４】
本発明は、ライセンス無線システムと非ライセンス無線システムの両方を用いて移動局（ＭＳ）に無線サービスをシームレスに提供することを目的とする。非ライセンス無線システムは、「構内」ソリューションとも呼べる近距離無線システムである。しかし、非ライセンス無線システムは建物の一部だけでなく非ライセンス無線システムがサービスを提供する企業の敷地の屋外部分のような局所屋外領域もカバーする非ライセンス無線システムを含むことが本出願から理解されよう。例えば、移動局は、無線電話機、スマートフォン、携帯情報端末、またはモバイル・コンピュータである。「移動局」も、例えば、デジタル総合サービス網（ＩＳＤＮ）または一般電話サービス（ＰＯＴＳ）端末を無線システムに接続するターミナル・アダプタ機能のセットを提供する固定無線デバイスでもよい。このタイプのデバイスの代表はイリノイ州シカゴのＴｅｌｕｌａｒ  Ｃｏｒｐｏｒａｔｉｏｎ製のＰｈｏｎｅｃｅｌｌ製品ラインである。このタイプのデバイスに本発明を適用することで無線サービス・プロバイダはライセンス無線システムによって十分にカバーされないユーザ・ロケーションであっても、いわゆる陸線交換サービスをユーザに提供することができる。以下の説明を通して、無線サービスの電気通信業界で一般に使用される頭字語が本発明に特有の頭字語と共に使用される。本出願に特有の頭字語の表を付録Ｉに掲げる。
【００４５】
図１Ａは、本発明の一実施形態による構内アクセス・ネットワーク（ＩＡＮ）システム１００を示す図である。第１の矢印１０４で示すように、移動局（ＭＢ）１０２で音声またはデータ通信ネットワーク１１４（例えば、音声データ用の移動交換局（ＭＳＣ）１１６またはデータ・ネットワーク用のサービス提供ＧＰＲＳサポート・ノード（ＳＧＳＮ）１１８を含む）とのライセンス無線通信セッションが実行される。第１のパス１０４はライセンス無線システムの無線チャネル１０６、基地トランシーバ局（ＢＴＳ）１０８、私設中継線１１０、および基地局制御装置（ＢＳＣ）１１２を含む。基地局制御装置１１２は標準の基地局制御装置インタフェース１９０を介して通信ネットワーク１１４と通信する。例えば、基地局制御装置１１２は、回線交換音声サービス用のＧＳＭ  Ａインタフェースを介してＭＳＣと通信し、パケット・データ・サービス用のＧＳＭ  Ｇｂインタフェース（ＧＰＲＳ）を介してＳＧＳＮと通信することができる。従来のライセンス音声およびデータ・ネットワーク１１４は１つの認識された基地局制御装置１１２から別の基地局制御装置１１２（図示せず）へのシームレスなハンドオフを可能にするプロトコルを含む。
【００４６】
しかし、移動局が構内基地局（ＩＢＳ）１２８の範囲内にある場合、無線セッションは非ライセンス無線システムの非ライセンス・チャネルを用いて実行される。一実施形態では、構内基地局１２８のサービス・エリアは建物の屋内部分であるが、構内基地局１２８のサービス領域は建物または敷地の屋外部分を含むことができることを理解されたい。第２の矢印１２４で示されるように、移動局１０２は非ライセンス無線チャネル１２６、非ライセンス無線サービス構内基地局（ＩＢＳ）１２８、アクセス・ネットワーク１３０、および構内ネットワーク制御装置（ＩＮＣ）１３２（本出願の発明者によって「Ｉスイッチ」とも呼ばれる）を含む第２のデータ・パス１２４を介して通信ネットワーク１１４に接続できる。また、構内ネットワーク制御装置１３２は基地局制御装置インタフェース１９０を用いてネットワーク１１４と通信する。以下に詳述するように、構内基地局１２８と構内ネットワーク制御装置１３２はメモリに記憶され、プロトコル変換を実行するように構成された１つまたは複数のマイクロプロセッサ（図１Ａには示さず）上で実行されるソフトウェア・エンティティを含む。
【００４７】
非ライセンス無線チャネル１２６は、非ライセンス、フリー帯域（例えば、２．４ＧＨｚまたは５ＧＨｚ付近の帯域）でよい。非ライセンス無線サービスは関連する通信プロトコルを有する。例えば、非ライセンス無線サービスはＢｌｕｅｔｏｏｔｈ対応の無線サービス、または無線ローカル・エリア・ネットワーク（ＬＡＮ）サービス（８０２．１１  ＩＥＥＥ無線標準）である。これでユーザは非ライセンス無線サービスのサービス領域内で潜在的に改善されたサービス品質を享受できる。したがって、加入者が非ライセンス基地局の範囲内にいる時には、加入者は低コスト、高速、および高品質の音声およびデータ・サービスを享受できる。さらに、携帯電話機は建物のかなり奥でサービスを受けることができるので拡張した受信可能範囲を享受する。このタイプのサービス範囲はライセンス無線システムでは確実に提供されない。しかし、加入者は通信が途絶することなく非ライセンス基地局の範囲外にローミングできる。その代わりに、米国特許出願第１０／１１５，８３３号（特許文献１）に詳述されているように、非ライセンス基地局の範囲外にローミングすることで、通信サービスがライセンス無線システムによって自動的に提供されるシームレスなハンドオフ（ハンドオーバとも呼ばれる）が実行される。上記内容は、引用により本明細書に組み込むものとする。
【００４８】
移動局１０２はマイクロプロセッサと、通信セッションを管理する無線プロトコルを実行するコンピュータ・プログラム命令を含むメモリ（図示せず）を有する。図１Ｂに示すように、一実施形態では、移動局１０２は、無線リソース（ＲＲ）サブレイヤ１４６、移動管理（ＭＭ）サブレイヤ１４８、および呼管理（ＣＭ）レイヤ１５０を含むライセンス無線サービスのためのレイヤ１プロトコル・レイヤ１４２、レイヤ２プロトコル・レイヤ１４４、およびレイヤ３信号プロトコル・レイヤを含む。レベル１、レベル２、およびレベル３レイヤはソフトウェア「エンティティ」とも呼ばれるソフトウェア・モジュールとして実施できることを理解されたい。ライセンス無線サービスの一般の用語によれば、レイヤ１は物理レイヤ、すなわち、無線通信セッションの物理ベースバンドである。物理レイヤは無線インタフェースの最下位のレイヤで、物理無線リンク上でビット・ストリームを転送する機能を提供する。レイヤ２はデータ・リンク・レイヤである。データ・リンク・レイヤは移動局と基地局制御装置との間の信号方式を提供する。ＲＲサブレイヤは、移動局が専用モードにある時間であるＲＲセッションと、無線チャネル、電力制御装置、送受信の停止、およびハンドオーバの構成に関連する。移動管理レイヤは加入者の移動から生じる問題を管理する。例えば、移動管理レイヤは移動局のロケーション、セキュリティ機能、および認証を提供する。呼制御管理レイヤはエンドツーエンドの呼の確立を提供する。ライセンス無線システムのこれらの機能は無線通信の当業者にとって周知のものである。
【００４９】
本発明の一実施形態では、移動局は非ライセンス無線サービス物理レイヤ１５２（すなわち、Ｂｌｕｅｔｏｏｔｈ、無線ローカル・エリア・ネットワーク、またはその他の非ライセンス無線チャネルなどの非ライセンス無線サービスの物理レイヤ）をさらに含む。移動局は非ライセンス無線サービス・レベル２リンク・レイヤ１５４をさらに含む。移動局は非ライセンス無線サービス無線リソース・サブレイヤ１５６をさらに含む。移動局１０２が非ライセンス無線サービス構内基地局１２８の範囲内にある時には、移動管理レイヤ１４８および呼管理レイヤ１５０が非ライセンス無線サービス無線リソース・サブレイヤ１５６および非ライセンス無線サービス・リンク・レイヤ１５４にアクセスするためのアクセス・モード・スイッチ１６０が含まれる。
【００５０】
以下に詳述するように、非ライセンス無線リソース・サブレイヤ１５６と非ライセンス・リンク・レイヤ１５４は、ライセンスおよび非ライセンス無線システム間のシームレスなハンドオフを容易にするために選択されたプロトコルに加え、使用される非ライセンス無線サービス固有のプロトコルを含むことができる。したがって、非ライセンス無線リソース・サブレイヤ１５６と非ライセンス・リンク・レイヤ１５４は、ＭＳＣ、ＳＧＳＮ、またはその他の音声またはデータ・ネットワークによって認識される従来の基地局制御装置インタフェース・プロトコル１９０に適合するフォーマットに変換する必要がある。
【００５１】
図１Ｃを参照すると、本発明の実施形態では、移動局１０２、構内基地局１２８および構内ネットワーク制御装置１３２は、非ライセンスサービスのレベル１、レベル２、およびレベル３レイヤを従来の基地局サブネットワーク（ＢＳＳ）インタフェース１９０（例えば、ＡインタフェースまたはＧｂインタフェース）に変換するインタフェース変換機能を提供する。プロトコル変換の結果、音声／データ・ネットワーク１１４にとって透過的な通信セッションが確立できる。すなわち、音声ネットワーク／データ・ネットワーク１１４は、従来の基地トランシーバ局が扱う従来の通信セッションと同様に、通信セッションにその標準インタフェースとプロトコルを使用する。例えば、いくつかの実施形態では、移動局１０２と構内ネットワーク制御装置１３２は普通は基地局制御装置が発行するロケーション更新およびサービス要求を開始するように構成されている。その結果、音声／データ・ネットワーク１１４にとって透過的なサービスのシームレスなハンドオフのためのプロトコルが容易になる。その結果、例えば、１つの電話番号をライセンス無線サービスと非ライセンス無線サービスの両方に使用できる。さらに、本発明では、従来はライセンス無線サービスでしか提供されなかったさまざまなサービスを非ライセンス無線サービスによって提供できる。ユーザは従来の電話サービスにアクセスしながらハイバンド非ライセンス無線サービスの受信可能範囲内にその移動局がある時に、潜在的に高品質のサービスの利益を受ける。
【００５２】
ライセンス無線サービスは音声／データ・ネットワーク１１４の定義済みＢＳＳインタフェース・プロトコル１９０を有する任意のライセンス無線サービスを含むことができる。一実施形態では、ライセンス無線サービスはＧＳＭ／ＧＰＲＳ無線アクセス・ネットワークであるが、本発明の実施形態は他のライセンス無線サービスも含むことを理解されたい。この実施形態では、構内ネットワーク制御装置１３２は標準のＧＳＭ  ＢＳＳネットワーク要素が使用する同じ基地局制御装置インタフェース１９０を介してＧＳＭコア・ネットワークと相互接続する。例えば、ＧＳＭアプリケーションでは、これらのインタフェースは回線交換音声サービスのＧＳＭ  Ａインタフェースとパケット・データ・サービスのＧＳＭ  Ｇｂインタフェース（ＧＰＲＳ）である。本発明のＵＭＴＳアプリケーションでは、構内ネットワーク制御装置１３２は回線交換音声サービス用のＵＭＴＳ  Ｉｕ−ｃｓインタフェースとパケット・データ・サービス用のＵＭＴＳ  Ｉｕ−ｐｓインタフェースを用いてＵＭＴＳネットワークと相互接続する。本発明のＣＤＭＡアプリケーションでは、構内ネットワーク制御装置１３２は回線交換音声サービス用のＣＤＭＡ  ＡＩおよびＡ２インタフェースとパケット・データ・サービス用のＣＤＭＡ  Ａ１０およびＡ１１インタフェースを用いてＣＤＭＡネットワークと相互接続する。
【００５３】
ＧＳＭ／ＧＰＲＳの実施形態では、構内ネットワーク制御装置１３２はＧＳＭ／ＧＰＲＳコア・ネットワークにはＧＳＭ  ＢＳＳネットワーク要素として認識され、そのように管理され運用される。このアーキテクチャでは、トランザクション制御（例えば、呼処理）の基本要素が上位ネットワーク要素、すなわち、ＭＳＣ１１６ビジタ・ロケーション・レジストリ（ＶＬＲ）およびＳＧＳＮによって提供される。権限がある移動局は、ＧＳＭ／ＧＰＲＳコア・ネットワークに直接あるいは構内基地局のサービス・エリア外の場合はＧＳＭ無線アクセス・ネットワークを介して、または構内基地局１２８のサービス・エリア内の場合は構内アクセス・ネットワーク・システム１００を介してアクセスできる。
【００５４】
ＩＡＮシステム１００への通信セッションは音声またはデータ・ネットワーク１１４にとって透過的であるため、非ライセンス無線サービスは、無線サービス・プロバイダが通常提供するすべてのユーザ・サービスをサポートできる。ＧＳＭの例では、これは好ましくは以下の基本サービスを含む。電話、緊急呼（例えば、北米ではＥ９１１番呼）、ショート・メッセージ、移動局着呼ポイントツーポイント（ＭＴ／ＰＰ）、ショート・メッセージ、移動局発呼ポイントツーポイント（ＭＯ／ＰＰ）、ＧＰＲＳベアラ・サービス、ハンドオーバ（屋外−屋内、屋内−屋外、音声、データ、ＳＭＳ、ＳＳ）。さらに、ＧＳＭでは、これは、好ましくは以下の補足サービスを含む。呼毎着信転送、発信者番号通知、発信者番号通知制限、接続先番号通知、接続先番号通知制限、無条件転送、移動加入者話中転送、不応答転送、移動加入者不在転送、発信者名通知、コール・ウェイティング、呼の保留、マルチパーティ・サービス、クローズド・ユーザ・グループ、料金情報通知（情報）、料金情報通知（課金）、ユーザ・ユーザ信号、全発信規制、国際発信規制、ホームＰＬＭＮ国以外の国際発信規制、全着信規制、ホームＰＬＭＮ国外ローミング時の着信規制、明示的転送、私設番号計画のサポート、話中加入者への呼の完了、未構成補足サービス・データ、ＳＩＭツールキット。さらに、好ましくは、法的に許可された電子監視（「通信傍受」とも呼ばれる）、ＴＴＹ（聾唖者用通信デバイスとも呼ばれる）、およびロケーション・サービスなどの法的規制にかかるまたはその他のサービスを含む。
【００５５】
図２は、構内基地局１２８を構内ネットワーク制御装置１３２に結合するアクセス・ネットワーク１３０の構成の実施形態を示す図である。一実施形態では、アクセス・ネットワークは広帯域に限定される。このアーキテクチャでは、構内ネットワーク制御装置１３２と顧客宅内装置（すなわち、構内基地局と移動局）との間のすべてのトラヒックは、音声サービス、データ・サービスおよび信号トラヒックのすべてを含め、広帯域アクセス・ネットワークを用いて搬送される。ハイブリッド・バージョンでは、広帯域とＰＯＴＳの両方が使用される。このアーキテクチャでは、構内ネットワーク制御装置１３２と顧客宅内設備との間のすべてのデータ・サービスと信号トラヒックは広帯域アクセス・ネットワークを用いて搬送される。しかし、音声トラヒックは一般のＰＳＴＮベアラ・チャネル（例えば、ＰＯＴＳすなわち一般電話サービス）を用いて搬送される。本出願ではこれを「ハイブリッド・アーキテクチャ」と呼ぶ。
【００５６】
図３は、ＩＡＮ広帯域アーキテクチャの一実施形態を示す図である。移動局１０２と構内基地局１２８の間のＫ１インタフェース３０５が、構内基地局１２８と構内ネットワーク制御装置１３２との間のＫ２インタフェース３１０と共に示されている。
【００５７】
図４は、ＧＳＭのハイブリッドＩＡＮアーキテクチャの一実施形態を示す図である。移動局１０２と構内基地局１２８の間のＫ１インタフェース３０５および構内基地局１２８と構内ネットワーク制御装置１３２との間のＫ２インタフェース３１０が示されている。プロトコル変換のためのこれらのインタフェースおよび技法について以下に詳述する。
【００５８】
図５は、移動局１０２の一実施形態のレベル１、レベル２、レベル３ＧＳＭ関連プロトコル・アーキテクチャの全体図である。図に示すように、ＧＳＭ  ＲＲエンティティ５４６とＩＡＮ  ＲＲエンティティ５５６の２つの論理無線リソース（ＲＲ）管理エンティティがある。プロトコル・アーキテクチャは、ＧＳＭベースバンド・レベル１レイヤ５４２、ＧＳＭレベル２リンク・レイヤ５４４、Ｂｌｕｅｔｏｏｔｈベースバンド・レベル１レイヤ５５２、Ｂｌｕｅｔｏｏｔｈレベル２レイヤ５５４、アクセス・モード・スイッチ５６０、および上位レイヤ・プロトコル５８０を含む。ＭＳ（移動局）がＩＡＮモードで動作中には、ＩＡＮ  ＲＲエンティティ５５６は、指定のサービス・アクセス・ポイント（ＳＡＰ）（ＲＲ−ＳＡＰ）（図６に示す）を介して移動管理（ＭＭ）サブレイヤにサービスを提供する現在の「サービス提供」ＲＲエンティティである。ＧＳＭ  ＲＲエンティティはこのモードではＭＭサブレイヤから取り外されている。ＩＡＮ  ＲＲエンティティ５５６は新しい機能セットである。ＩＡＮ  ＲＲエンティティ５５６はいくつかのタスクを実行する。最初に、ＩＡＮ  ＲＲエンティティ５５６はＩＡＮ受信可能範囲とＩＡＮ登録を検出する。第２に、ＩＡＮ  ＲＲエンティティ５５６はＧＳＭ  ＲＲレイヤのエミュレーションを行って予想サービスをＭＭレイヤに提供する、すなわち、ＲＲ接続を生成、維持、終了する。一実施形態では、ＲＲ−ＳＡＰのために定義されたすべての既存のＧＳＭ０４．０７プリミティブが適用される。ＩＡＮ  ＲＲエンティティ５５６のプラグインはこのように上位レイヤプロトコルには透過的に実行される。第３に、ＩＡＮ  ＲＲエンティティ５５６のモジュールはＧＳＭ  ＲＲエンティティと連係してアクセス・モードの切り替えおよびハンドオーバを管理する。
【００５９】
図６は、レベル２およびレベル３レイヤの部分を示す移動局１０２の一実施形態を示す図である。この実施形態には、アクセス・モードの切り替えおよびハンドオーバのためのＩＡＮＧＳＭ−ＳＡＰ  ５９２、ＧＳＭＩＡＮ−ＳＡＰ５９０インタフェース・ハンドラがある。ＩＡＮ  ＲＲエンティティ５５６は、ＩＡＮＧＳＭ−ＳＡＰ５９２によって、特に、アクセス・モードの切り替えおよび「ハンドアウト」（すなわち、屋内から屋外への）手順のためにＧＳＭ  ＲＲエンティティ５４６と連係する。ＧＳＭ  ＲＲエンティティ５４６は、ＧＳＭＩＡＮ−ＳＡＰ５９０によって、特に、アクセス・モードの切り替えおよび「ハンドオーバ」（すなわち、屋外から屋内への）手順のためにＩＡＮ  ＲＲエンティティ５５６と連係する。移動管理レイヤ５６５および接続管理レイヤ５７０の機能は以下に詳述する。
【００６０】
図７Ａは、ＩＡＮプロトコル・アーキテクチャが非ライセンス無線サービスのＧＳＭ  ＭＭおよびＣＭ信号とＩＡＮ固有の信号とをサポートする一実施形態を示す図である。ＭＳＣサブレイヤは、メッセージ転送部（ＭＴＰ）インタフェース７０５、信号接続制御部（ＳＣＣＰ）７０７、基地局システムアプリケーション部（ＢＳＳＡＰ）７０９、移動管理インタフェース７１１、および接続管理インタフェース７１３に関して当業者なら周知の従来の機能である。
【００６１】
ＩＡＮ  ＲＲプロトコルはＩＡＮ「レイヤ３」信号方式機能をサポートする。これは、構内基地局１２８内のＩＡＮ−ＲＲメッセージ中継機能を介した構内ネットワーク制御装置１３２と移動局１０２との間のエンドツーエンドＧＳＭ信号方式を含む。構内ネットワーク制御装置１３２は、これらのメッセージと同様のＡインタフェース・メッセージ間の網間接続を実行する。ＩＡＮ−ＲＲプロトコルは、また、例えば、移動局−構内基地局のベアラ・パス制御のための移動局１０２、構内基地局１２８および構内ネットワーク制御装置１３２の間のＩＡＮ固有の信号方式をサポートする。
【００６２】
移動局内の無線リソース・レイヤはＩＡＮ−ＲＲサブレイヤ５５６とＩＥＰサブレイヤ５５７とを含む。ＩＡＮ−無線リソース（ＲＲ）プロトコルはＫ１インタフェース３０５上でＩＡＮカプセル化プロトコル（ＩＥＰ）に載せて搬送され、ＩＥＰはＩＥＰサブレイヤ５５５によって管理される。ＩＥＰパケットは、非ライセンス無線サービスレイヤ２接続アクセス手順（Ｌ２ＣＡＰ）リンク・レイヤのサービスを用いて、Ｋ１インタフェース３０５上で転送される。
【００６３】
ＩＡＮ−ＲＲプロトコルは、ＩＴＰモジュール７０２を用いてＫ２インタフェース３１０上でＩＡＮ転送プロトコル（ＩＴＰ）に載せて搬送される。ＩＴＰメッセージは構内基地局１２８と構内ネットワーク制御装置１３２との間のＩＡＮセキュア・トンネル（ＩＳＴ）接続を用いて転送される。ＩＳＴは標準のセキュリティ・プロトコルを用いて提供できる。ＴＣＰ／ＩＰ７０６上で実行される標準セキュア・ソケットレイヤ（ＳＳＬ）プロトコル７０４の使用法を図７Ａに示す。別のオプションはＩＰＳｅｃの使用である。仲介広帯域アクセス・システム７１９は低位レベルのＩＰ接続をサポートする。
【００６４】
ＩＴＰモジュールは、また、構内基地局１２８と構内ネットワーク制御装置１３２との間の非ＩＡＮ−ＲＲ信号方式をサポートする。これはＩＢＳ−ＩＮＣベアラ・パス制御信号方式を含む。この信号方式は、ＩＡＮ−ＲＲ信号方式をトリガするかこれによってトリガされる。この信号方式を構内基地局管理アプリケーション・プロトコル（ＩＢＳＭＡＰ）７０８と呼ぶ。
【００６５】
図７Ｂは、構内基地局１２８のＩＡＮ固有のプロトコル機能が移動局１０２に移され、ＩＡＮ固有の機能をサポートしないが一般のＩＰ接続をサポートする非ライセンス・アクセス・ポイント、例えば、標準ＢｌｕｅｔｏｏｔｈまたはＩＥＥＥ８０２．１１ｂアクセス・ポイントの使用を可能にする代替実施形態を示す図である。図示のように、この実施形態では、ＳＳＬベースのＩＡＮセキュア・トンネルおよびすべての上位レイヤ・プロトコルは移動局に着信する。構内ネットワーク制御装置１３２側から見ると、図７Ａに示す実施形態と図７Ｂに示す実施形態とで相違点はない。
【００６６】
図８は、ＧＳＭ音声伝送をサポートするＩＡＮプロトコル・アーキテクチャの一実施形態を示す図である。音声は「Ｋ１音声フォーマット」として図に示すフォーマットでＫ１インタフェース上を流れる。例えば、Ｋ１音声フォーマットは、同期コネクションオリエンテッド（ＳＣＯ）チャネル上で実行されるＢｌｕｅｔｏｏｔｈ  Ｖ１．１標準で定義する６４ｋｂｐｓの連続変動スロープ・デルタ変調（ＣＶＳＤ）フォーマットである。また、Ｂｌｕｅｔｏｏｔｈ  ８０２．１１またはその他の非ライセンス技術を用いた標準のｖｏｉｃｅ  ｏｖｅｒ  ＩＰ技法をＫ１インタフェース上で利用することもできる。音声は「Ｋ２音声フォーマット」として図に示すフォーマットでＫ２インタフェース上を流れる。例えば、いくつかのＲＴＰベースの音声フォーマット、例としてＧ．７１１（Ａ法則またはμ法則）およびＧ．７２９Ａを使用できる。音声は６４ｋｂｐｓパルス符号変調（ＰＣＭ）フォーマット（Ｇ．７１１Ａ法則またはμ法則）で構内ネットワーク制御装置１３２を介してＭＳＣインタフェースＡに流れる。Ｋ２音声フォーマットがＧ．７１１以外の場合、構内ネットワーク制御装置１３２内でトランスコーディングが必要である。同様に、Ｋ１およびＫ２の音声フォーマットが同じでない場合、構内基地局１２８内でトランスコーディングが必要である。
【００６７】
図９〜図１１は、対応するＧＰＲＳ実施態様を示す図である。図９は、ＩＡＮ移動局のＧＰＲＳ関連プロトコル・アーキテクチャの概略図である。図１０は、移動局の内部ＩＡＮ／ＧＰＲＳプロトコル・アーキテクチャの一実施形態の詳細を示す図である。図１１Ａは、移動局が非ライセンス無線サービスを用いて動作している時の対応するＧＰＲＳ信号方式モードを示す図である。図１１Ｂは、移動局が非ライセンス無線サービスを用いて動作している時の対応するＧＰＲＳデータ伝送モードを示す図である。ＩＡＮ  ＧＰＲＳプロトコル・アーキテクチャは、非ライセンス帯域を利用するＩＡＮによるＧＰＲＳ信号方式およびデータ・パケットのトンネリングを可能にする。ＩＡＮ−ＧＲＲプロトコルは、ＩＡＮ−ＲＲプロトコルと同じトンネリング機能を果たすが、移動局１０２とＳＧＳＮ１１８との間のパケット交換トラヒックに限定される。
【００６８】
図１０を参照すると、ＩＡＮ／ＧＰＲＳアーキテクチャは２つの論理ＧＰＲＳ無線リソース（ＲＲ）エンティティ、すなわち、ＧＰＲＳ  ＲＬＣ９０５エンティティとＩＡＮ  ＧＲＲエンティティ９５５を含む。ＩＡＮモードでは、ＩＡＮ  ＧＲＲエンティティは、指定のサービス・アクセス・ポイント（ＧＲＲ−ＳＡＰ）を介して論理リンク制御９８０（ＬＬＣ）レイヤにサービスを提供する現在の「サービス提供」ＲＲエンティティである。ＧＰＲＳ  ＲＬＣエンティティはこのモードではＬＬＣレイヤから取り外されている。
【００６９】
ＩＡＮ−ＧＲＲ  ＲＬＣエンティティ９５５は以下のタスクを実行する。第１に、ＩＡＮ−ＧＲＲ  ＲＬＣエンティティ９５５はＧＰＲＳ  ＲＬＣレイヤ９０５のエミュレーションを行って予想サービスを上位レイヤのプロトコルに提供する。第２に、ＧＰＲＳ  ＲＬＣ９０５エンティティと連係してアクセス・モード切り替えを管理する。一実施形態では、ＩＡＮ  ＧＲＲレイヤはＩＡＮモードでのアクセス・モード切り替えと修正ＰＬＭＮ／セル再選択動作のためのＩＡＮＧＰＲＳ−ＳＡＰおよびＧＰＲＳＩＡＮ−ＳＡＰインタフェース・ハンドラを含む。
【００７０】
ＩＡＮ  ＧＲＲエンティティ９５５は、特にアクセス・モード切り替え手順のためにＩＡＮ  ＧＰＲＳ−ＳＡＰによってＧＰＲＳ  ＲＬＣエンティティ９０５との連係を提供する。ＧＰＲＳ  ＲＬＣエンティティ９０５は、特にアクセス・モード切り替え手順のためにＧＰＲＳＩＡＮ−ＳＡＰによってＩＡＮ  ＧＲＲエンティティとの連係を提供する。
【００７１】
図１１Ａは、ＩＡＮプロトコル・アーキテクチャがＧＰＲＳ信号方式をサポートするある実施形態を示す図である。ＳＧＳＮレイヤは当業技術分野で周知の従来の機能である。ＳＧＳＮレイヤは、ＧＰＲＳネットワーク管理（ＮＭ）、パケット・フロー管理（ＰＦＭ）、基地局システムＧＰＲＳプロトコル（ＢＳＳＧＰ）、ネットワーク・サービス（ＮＳ）、ＧＰＲＳ移動管理（ＧＭＭ）、論理リンク制御（ＬＬＣ）、セッション管理（ＳＭ）およびショート・メッセージ・サービス（ＳＭＳ）の各インタフェースに関連する。ＩＡＮ−ＧＲＲプロトコルはメッセージ・カプセル化またはトンネリング機能をサポートする。構内ネットワーク制御装置１３２はＮＭ、ＰＦＭ、ＧＭＭ、ＢＳＳＧＰ、およびＮＳレイヤを着信させ、Ｋ２インタフェース上のＩＡＮ−ＧＲＲカプセル化形式と類似のＧｂインタフェース・メッセージとの間のＧＰＲＳ信号を搬送するＬＬＣプロトコル・データ・ユニット（ＰＤＵ）を中継する。構内基地局はＫ１とＫ２インタフェースの間に簡単なＩＡＮ−ＧＲＲメッセージ中継機能を提供する。ＧＰＲＳ信号方式をサポートするＩＡＮプロトコル・アーキテクチャは、図７Ａを参照して述べたＩＴＰ、ＳＳＬ、ＴＣＰ／ＩＰ、およびＩＥＰレイヤを使用する。図１１ＡのアーキテクチャによってＧＰＲＳデータ伝送もサポートできる。これによって、ＧＰＲＳデータ・パケットを搬送するＬＬＣ  ＰＤＵはＳＧＳＮとＭＳとの間でＩＮＣとＩＢＳによって中継される。図１１Ｂは、Ｋ２インタフェース上のトランスポート・プロトコルがコネクションオリエンテッドＴＣＰプロトコルではなくコネクションレスＵＤＰプロトコルである代替実施形態を示す図である。この手法は、コネクションレス・トランスポートに最適のアプリケーション・プロトコル（例えば、ｖｏｉｃｅ  ｏｖｅｒ  ＩＰ）のサポートが改善されているという利点を有する。図１１ＡのＳＳＬが提供するＫ２上のデータ転送セキュリティは、図１１Ｂに示すように、ＩＰＳｅｃによって提供できる。
【００７２】
レベル１、レベル２、およびレベル３レイヤおよび音声ベアラ動作、登録、移動管理、および呼管理手順に関して上述した移動局、基地局、および構内ネットワーク制御装置１３２の実施形態の基本動作について、いくつかの実施形態を例にして以下に説明する。
【００７３】
従来のライセンス無線システムはライセンス無線システムの異なる構成要素への通信セッションのハンドオフ手順を含む。これらの手順は、例えば、同じ基地局制御装置の制御下の異なるセルへのセッションのハンドオフ、異なる基地局制御装置の制御下の１つのＭＳＣに属するセルの切り替え、および異なるＭＳＣの制御下のセルの切り替えを含む。本発明の実施形態では、これらのプロトコルは、移動局が少なくとも１つの構内基地局制御装置の範囲内にある時に非ライセンス無線システムへの通信セッションのハンドオフを開始するようにさらに構成されている。
【００７４】
図１２は、ＧＳＭ／ＧＰＲＳ内の移動管理に用いる登録の概念を示す図である。ＭＳＣ１１６は、複数のＢＳＣ１１２とそれにリンクしたＢＳＳ１１２−ＡおよびＢＳＳ１１２−Ｂなどの関連基地局サブシステム（ＢＳＳ）を有することができる。受信可能範囲は、ロケーション・エリア（ＬＡ）（ＧＳＭ用）およびルーティング・エリア（ＲＡ）（ＧＰＲＳ用）と呼ばれる１２０５−ｘ、１２０５−ｙ、および１２０５−ｚなどの複数の論理登録エリア１２０５に分割される。
【００７５】
移動局１０２はサービス提供ロケーション・エリア（またはルーティング・エリア）が変更されるたびにネットワークの基地局サブシステム（ＢＳＳ）に登録する必要がある。その結果、例えば、どのＢＴＳ１０８およびＢＳＣ１１２が通信セッションを受け持つかを決定するための移動局のロケーションに関する情報がネットワークに提供される。通信事業者のネットワーク内の各ビジタ・ロケーション・レジスタ（ＶＬＲ）に１つまたは複数のロケーション・エリア識別子（ＬＡＩ）を関連付けることができる。同様に、１つのＳＧＳＮで１つまたは複数のルーティング・エリア識別子（ＲＡＩ）を制御できる。実際の例では、各ＶＬＲ／ＳＧＳＮによって制御される異なる登録エリアの数は、ネットワーク・ページングの最小化とロケーション更新負荷との妥協に基づいて決定される。登録エリアの数が少ないほど、システム上のロケーション更新は減るがページング負荷は高くなる。登録エリアの数が多いほど、システムのページング負荷は下がるがユーザ登録数は増加する。複数の基地局サブシステム（ＢＳＳ）に１つのロケーション・エリア／ルーティング・エリア１２０５−ｙを関連付けることができる。この場合、特定のロケーション・エリアに登録済みの加入者への移動局着信呼はそのロケーション・エリアに関連する各ＢＳＳへのページング要求を実行させる。ＬＡＩとＲＡＩとの間に１対１の関係は必ずしもないことを留意されたい。１つのロケーション・エリア内に複数のＧＰＲＳルーティング・エリアがあってもよい。
【００７６】
図１３および図１４を参照すると、本発明の実施形態では、登録概念が１つまたは複数の構内基地局１２８によってサービスを記述するように構成され、ライセンス無線システムと非ライセンス無線システムとの間のローミングおよびハンドオフを容易にしている。これについて以下に詳述する。本発明では、１対のＩＡＮ  ＬＡＩ／ＲＡＩが１つの構内ネットワーク制御装置１３２の制御下の少なくとも１つの構内基地局１２８の組を定義する。したがって、図１３を参照すると、１つの構内ネットワーク制御装置１３２は、非ライセンス無線システムがサービスを提供するロケーション・エリア／ルーティング・エリア１３０５および１３１０を定義する１つまたは複数の構内基地局を有することができる。１つまたは複数のライセンス無線サービス・エリアのローカル・エリア／ルーティング・エリアはＩＡＮ  ＬＡＩ／ＲＡＩと重なってもよい。図１３の第１のＩＡＮ構成では、１つまたは複数のロケーション・エリアおよびルーティング・エリア識別はＩＡＮシステムと収容側ＧＳＭネットワークとの間で共用される。
【００７７】
図１３に示すように、構内ネットワーク制御装置１３２は収容側ＧＳＭ／ＧＰＲＳ受信可能範囲を提供するＭＳＣ／ＳＧＳＮとは異なるＭＳＣ／ＳＧＳＮに接続できる。このために、「ＩＡＮ登録」手順の一部として構内ネットワーク制御装置１３２によって、移動局１０２は好ましくはサービス提供構内基地局１２８に関連するＩＡＮ  ＬＡＩ／ＲＡＩのペアを提供される。この情報は移動局がＧＳＭ／ＩＡＮドメイン内で「オン」の状態の時に、例えば、構内受信可能範囲を抜けてロケーション更新が必要な場合に、移動局内で移動管理動作を決定するために使用される。
【００７８】
図１４に示す第２の収容側ＩＡＮ構成で、１つまたは複数のロケーション・エリアおよびルーティング・エリア識別はＩＡＮシステムと収容側ＧＳＭネットワークによって共用されない。したがって、構内ＬＡＩおよびＲＡＩ１４０５は屋外ＬＡＩおよびＲＡＩゾーン１４１０および１４１５と大幅に異なっていてもよい。ＩＡＮシステムは１つまたは１組の登録識別子（ＬＡＩおよびＲＡＩ）によって識別される。ＩＡＮ移動局は２つのネットワーク間でアービトレーションを実行し、ＧＳＭネットワークに遷移状態、すなわち、ＩＡＮネットワークへの一時的な出入りでの登録要求の過負荷を通知しない。
【００７９】
一実施形態では、ＩＡＮ登録は公衆陸上移動通信網（ＰＬＭＮ）のインフラストラクチャへの信号負荷を管理するために移動局１０２によって実行される。ＩＡＮ登録は好ましくはＩＡＮ受信可能範囲の最初の検出時、または一定の特定条件の下でのＩＡＮ受信可能範囲の一時的な中断に続けて自動的に移動局によって実行される。以下に詳述するように、このプロアクティブな登録プロセスは発生しうるさまざまな環境および状況でのシームレスなハンドオフを容易にする。一実施形態では、ＩＡＮ登録は、ＰＬＭＮインフラストラクチャへの信号方式を含まず、完全にＩＡＮシステム（すなわち、移動局、構内基地局および構内ネットワーク制御装置）内に含まれる。構内ネットワーク制御装置１３２に配信されるＩＡＮ登録メッセージは好ましくは（他のパラメータのうち）、ＩＭＳＩ、ＧＳＭ更新ステータス、および関連するパラメータ（例えば、ある場合にはＬＡＩおよびＴＭＳＩ）、ＧＰＲＳ更新ステータス、および関連するパラメータ（例えば、ある場合にはＲＡＩおよびＰ−ＴＭＳＩ）を含む。
【００８０】
一実施形態では、ＩＡＮ登録手順は構内ネットワーク制御装置１３２によっても使用され、移動局１０２には構内基地局１２８上のＩＡＮサービスに関連する運用パラメータが提供される。これは、ＧＳＭブロードキャスト制御チャネル（ＢＣＣＨ）を使用してシステム・パラメータをＧＳＭセル内の移動局に送信する処理に類似する。この実施形態では、送信される情報は、（他のパラメータのうち）、ＩＡＮ−ＬＡＩ（ロケーション・エリア識別）、ＩＡＮ−ＲＡＩ（ルーティング・エリア識別）、ＩＡＮ−ＣＩ（セル識別）、ＩＡＮ−ＡＲＦＣＮ値（ハンドオーバ用）、ＩＡＮ−ＢＳＩＣ値（ハンドオーバ用）、Ａｔｔａｃｈ／Ｄｅｔａｃｈ  Ａｌｌｏｗｅｄ（ＡＴＴ）フラグ設定、ＧＰＲＳネットワーク動作モード、ＩＡＮシステムと同じ登録エリアを備えたセルを優先してＧＳＭセル選択を「偏らせる」ためのＣＥＬＬ＿ＲＥＳＥＬＥＣＴ＿ＯＦＦＳＥＴ、ＢＡ（ＢＣＣＨ割り当て）リスト、およびタイマ値を含む。これらのパラメータは、ＩＡＮシステム情報ラッパーに包装される。このパッケージは移動局へのＩＡＮ登録応答に含まれる。このパッケージはまた、システム・パラメータ更新が必要な場合に移動局への他のメッセージに含めることができる。
【００８１】
図１５は、ＩＡＮ移動局１０２が遭遇するいくつかの異なる無線環境を示す図である。第１の実施形態では、ＧＳＭおよびＩＡＮ受信可能範囲は完全に分離し、重ならない。第２の可能性はＧＳＭとＩＡＮ受信可能範囲の部分的な重なりを示す。最後のシナリオでは、おそらく最も一般的であるが、ＩＡＮ受信可能範囲はＧＳＭ受信可能範囲内に完全に包含される。これらのいかなる環境にいても、ＩＡＮデバイスは電源投入が可能であり、いくつかの付属状態の受信可能範囲の間で遷移することができる。
【００８２】
一実施形態では、移動局１０２は電源投入時または移動局１０２が空き状態でいかなるタイプの受信可能範囲もない時はいつでも、ＧＳＭおよびＩＡＮ無線受信可能範囲をスキャンする。ＧＳＭ受信可能範囲のみが検出された場合、通常のＧＳＭ移動管理手順が開始される。ＩＡＮ受信可能範囲のみが検出された場合、移動局１０２は構内基地局１２８へのリンクを確立し、構内基地局１２８からのＩＡＮ−ＬＩＮＫ−ＡＴＴＡＣＨメッセージの受信を待つ。ＩＡＮ−ＬＩＮＫ−ＡＴＴＡＣＨメッセージ（構内基地局１２８の受信信号レベルが事前定義されたしきい値に合格したことを示す）を受信すると、移動局１０２はＩＡＮ登録手順を実行する。次いで、返送された情報に基いて、移動局１０２はネットワーク全体の登録が必要か否か、またそうであればどのタイプか（例えば、ＧＳＭまたはＧＰＲＳ）を判定する。ＧＳＭとＩＡＮ受信可能範囲の両方が検出された場合、移動局１０２は通常のＧＳＭ移動管理手順を実行し、次にＩＡＮ登録手順を実行する。
【００８３】
移動局ユーザが最初はＩＡＮ受信可能ゾーン外にいて最終的にＩＡＮ受信可能ゾーン内に移動する可能性もある。したがって、一実施形態では、ＧＳＭ受信可能範囲で移動局１０２が空き状態でＩＡＮ受信可能範囲がない時はいつでも、移動局１０２は周期的にＩＡＮ受信可能範囲をスキャンする。ＩＡＮ受信可能範囲が検出されると、移動局１０２は上記のＩＡＮ登録手順を開始する。
【００８４】
建物内などのいくつかの環境では、ＩＡＮ受信可能範囲があるがＧＳＭ受信可能範囲がないことがある。この場合、ＧＳＭスキャンおよびその他の手順を実行して移動局１０２がＩＡＮ受信可能ゾーンから抜けたらＧＳＭにハンドオフを実行することが望ましい。一実施形態では、ＩＡＮ受信可能範囲にあって移動局１０２が空き状態で、ＧＳＭ受信可能範囲がない時にはいつでも、移動局１０２は通常のＧＳＭ  ＰＬＭＮ検索手順を続行する。ＧＳＭ受信可能範囲が検出された場合、移動局１０２はハンドオーバ先の好ましいＧＳＭセルまたはＩＡＮ受信可能範囲を抜けたという状況の識別を記録する。ＩＡＮ受信可能範囲にあって移動局が空き状態で、ＧＳＭ受信可能範囲がある時にはいつでも、移動局１０２は通常のＧＳＭセル再選択手順を続行する。
【００８５】
一実施形態では、移動局１０２はハンドオーバ先の好ましいＧＳＭセルまたはＩＡＮ受信可能範囲を抜けたという状況の識別を記録する。ＩＡＮ受信可能範囲で電源をオフにすると、デタッチ表示（ＰＬＭＮネットワークが要求する場合、または普通、電源断で移動局から送信される）が移動局１０２によってＩＡＮを介してＰＬＭＮに送信される。この表示は現在のＧＳＭ動作モードごとに（例えば、ＧＳＭまたはＧＰＲＳ）符号化される。移動局１０２がＩＡＮモードで動作している時（すなわち、ＩＡＮ上での成功裏のＩＡＮ登録後）はいつでも、移動局１０２はＣＥＬＬ＿ＲＥＳＥＬＥＣＴ＿ＯＦＦＳＥＴ値をＧＳＭ  ＰＬＭＮ検索およびセル再選択手順で考慮する。すなわち、オフセット値は移動局１０２が構内基地局１２８と同じ登録エリア内のＧＳＭセルの優先を示すように「後押しする」。
【００８６】
図１６は、ＧＳＭとＩＡＮ受信可能範囲の両方を備えたエリアで移動局が電源投入された場合の通常の成功例に含まれる移動局、構内基地局、および構内ネットワーク制御装置の間の電源投入時の移動局１０２、構内基地局１２８、および構内ネットワーク制御装置１３２の間の初期登録メッセージ・フローの一実施形態を示す図である。このシナリオは、移動局がすでに登録済みでＩＭＳＩ  ＡＴＴＡＣＨメッセージが不要であり、周期的なロケーション更新も不要であるロケーション・エリア内にＩＡＮセルがある例を示す。ステップａで、「スイッチ・オン」で移動局はＧＳＭおよびＩＡＮ受信可能範囲を検索する。移動局は先にＧＳＭ受信可能範囲を検出して屋外ネットワークを用いてロケーショ更新を実行できる。ステップｂで、ＩＡＮ受信可能範囲が検出される。したがって、移動局１０２と構内基地局１２８との間と、（まだ確立されていない場合は）構内基地局１２８と構内ネットワーク制御装置１３２との間に安全なリンクが確立される。ステップｃで、構内基地局１２８が移動局からの受信信号がＩＡＮサービスで使用できると判定すると、移動局１０２にＩＡＮ−ＬＩＮＫ−ＡＴＴＡＣＨメッセージを送信する。ステップｄで、移動局１０２は構内基地局１２８にＩＡＮ−ＲＥＧＩＳＴＥＲメッセージを送信する。構内基地局１２８はＩＢＳＡＰを用いてＩＡＮ−ＲＥＧＩＳＴＥＲメッセージを構内ネットワーク制御装置１３２に中継する。構内ネットワーク制御装置１３２は問題の移動局に向けられたＧＳＭネットワークからのページ要求のモニタを開始する。ステップｅで、構内ネットワーク制御装置１３２は構内基地局１２８にＩＡＮ−ＲＥＧＩＳＴＥＲ−ＡＣＫメッセージを返送する。構内基地局１２８に関連するＣＩおよびＬＡＩの表示がこのメッセージ内のＩＡＮ−Ｓｙｓｔｅｍ−Ｉｎｆｏｒｍａｔｉｏｎパラメータに含まれている。構内基地局１２８はこの情報を移動局１０２に透過的に受け渡す。構内基地局１２８はＩＡＮサービスに移動局１０２が登録されたという表示を記憶する。ステップｆで、移動局は通常のＧＳＭセル選択手順に基いてＧＳＭセルを選択する。ステップｇで、移動局１０２は以下の情報を有する。１）ＳＩＭに記憶されたＧＳＭ更新ステータスおよびそれに関連するパラメータ、２）通常のＧＳＭセル選択手順に基づいて選択されたＧＳＭセル情報、３）構内ネットワーク制御装置１３２によって提供される構内基地局１２８のセル情報（すなわち、この情報とＧＳＭセル情報を用いて移動局はＩＡＮ構成がタイプ１または２のいずれであるかを判定する）。この情報に基づいて、移動局は追加の移動管理手順が必要か否かを判定しなければならない。この例では、移動局は追加の移動管理手順が必要ない（すなわち、サービス状態がＧＳＭセルが選択されたＮＯＲＭＡＬ  ＳＥＲＶＩＣＥである）と判定する。ステップｈで、移動局のＩＡＮ部分はＩＡＮ空きモードを継続する。
【００８７】
図１７は、ＧＳＭとＩＡＮ受信可能範囲の両方を備えたエリアで移動局が電源投入された場合の通常の成功例に含まれる電源投入時の登録メッセージ・フローとロケーション更新メッセージ・フローの一実施形態を示す図である。このシナリオは、（例えば）移動局がすでに登録済みであるがＩＭＳＩアタッチまたはロケーション更新が必要なロケーション・エリア内にＩＡＮセルが存在する例を示す。ステップａ〜ｆは図１６と同じである。図１７の例では、ステップｇで、移動局はＩＡＮによるロケーション更新が必要であると判定する。ステップｈで、移動局１０２はＩＡＮ−ＲＲ−ＲＥＱＵＥＳＴメッセージを用いて構内基地局１２８に論理ＩＡＮ−ＲＲセッションの確立を要求する。このメッセージはセッションに必要なリソース（例えば、信号チャネルのみ、または信号チャネルと音声チャネル）を含む。構内基地局１２８は、要求を処理するのに必要なリソース（すなわち、エア・インタフェース・リソースおよび構内ネットワーク制御装置接続機能）を提供できることを検証する。ステップｉで、構内基地局１２８はＩＡＮ−ＲＲセッション要求を受け付けたことを伝える。ステップｊ〜ｍで、移動局１０２とＭＳＣ１１６との間でロケーション更新信号送受が実行される。ステップｎで、ＭＳＣ１１６は構内ネットワーク制御装置１３２にＣＬＥＡＲ−ＣＯＭＭＡＮＤメッセージを送信して無線リソースを解放する。ステップｏで、構内ネットワーク制御装置１３２はＣＬＥＡＲ−ＣＯＭＰＬＥＴＥメッセージで無線リソースの解放を肯定応答する。構内ネットワーク制御装置１３２とＭＳＣ１１６との間のセッションに関連するＳＣＣＰ接続は解放される（信号送受は図示せず）。ステップｐで、構内ネットワーク制御装置１３２はＩＡＮ−ＲＲ−ＲＥＬＥＡＳＥメッセージで構内基地局１２８にＩＡＮ−ＲＲセッションとそれに関連するリソースを解放するよう伝える。構内基地局１２８はこのメッセージを移動局に転送する。ステップｑで、移動局は、ＩＡＮ−ＲＲ−ＲＥＬＥＡＳＥ−ＣＯＭＰＬＥＴＥメッセージを用いて、以前に確立したＩＡＮ−ＲＲセッションの解放を肯定応答する。構内基地局１２８はこの肯定応答を構内ネットワーク制御装置１３２に転送する。ステップｒで、移動局１０２はＩＡＮ空きモードを継続する。
【００８８】
図１８は、空きモードで電源を投入された移動局１０２がＩＡＮ受信可能範囲とＧＳＭ受信可能範囲に入った場合の通常の成功例に含まれる登録メッセージ・フローの一実施形態を示す図である。ステップａで、ＧＳＭ受信可能範囲にある移動局１０２は適当なＧＳＭ移動管理手順（例えば、通常の、または周期的なロケーション更新またはＩＭＳＩアタッチ）を実行する。これは移動体アプリケーション・パート（ＭＡＰ）プロトコルなどの標準のプロトコルを用いたＭＳＣとホーム・ロケーション・レジスタ（ＨＬＲ）間の通信を含む。ステップｂで、ＩＡＮ受信可能範囲が検出される。ステップｃ〜ｆは、図１７のステップｂ〜ｅと同じである。ステップｇで、移動局１０２は追加の移動管理手順が必要ないと判定する。ステップｈで、移動局はＩＡＮ空きモード動作を開始する。
【００８９】
図１９は、電源が入った空き状態の移動局１０２が、一時的な不在に続いてタイマＴ１の満了前にＩＡＮ受信可能範囲に再度入った場合の通常の成功例に含まれるａｔｔａｃｈ／ｄｅｔａｃｈメッセージ・フローのある実施形態を示す図である。ステップａで、移動局１０２はＩＡＮ空きモード動作状態である。ステップｂで、構内基地局１２８は移動局から受信した信号がＩＡＮサービスでもはや使用できないと判定する。構内基地局１２８は移動局１０２にＩＡＮ−ＬＩＮＫ−ＤＥＴＡＣＨメッセージを送信する。移動局１０２はタイマＴ１を起動する。構内基地局１２８がＩＡＮ−ＬＩＮＫ−ＤＥＴＡＣＨを送信する前にリンクが失われている場合、移動局１０２および構内基地局１２８はそれぞれタイマＴ１およびＴ２を起動する。ＩＡＮ−ＬＩＮＫ−ＤＥＴＡＣＨの送信後にリンクが失われた場合、構内基地局１２８はタイマＴ２を起動する。後の時点で、移動局１０２および構内基地局１２８はＩＡＮリンクを再度確立でき、この場合、構内基地局１２８はタイマＴ２を停止させる。構内基地局１２８と構内ネットワーク制御装置１３２との間の安全なリンクはまだ確立された状態である。ステップｃで、構内基地局１２８が移動局１０２からの受信信号がＩＡＮサービスで使用できると判定し、タイマＴ１の満了前に移動局にＩＡＮ−ＬＩＮＫ−ＡＴＴＡＣＨメッセージを送信する。移動局１０２はタイマＴ１を停止させる。ステップｄで、移動局１０２はＩＡＮ空きモード動作を継続する。
【００９０】
図２０は、電源が入った移動局が、一時的な不在に続いて、タイマＴ１の満了後、タイマＴ２の満了前にＩＡＮ受信可能範囲に再度入った場合の通常の成功例に含まれるｄｅｔａｃｈ、ａｔｔａｃｈ、および登録メッセージ・フローのある実施形態を示す図である。ステップａ〜ｂは前の図１９の例と同じである。ステップｃで、タイマＴ１は移動局１０２で満了する。ステップｄで、ＩＡＮアプリケーションは移動局１０２に通常のＧＳＭ  ＭＭ動作を再開するように命令する。移動局１０２はＩＡＮ  ＩＢＳと同じＬＡＩを有するＧＳＭセルを選択する。したがって、ロケーション更新の必要はない。ステップｅで、構内基地局１２８は移動局１０２から受信した信号がＩＡＮサービスで使用できると判定する。構内基地局１２８は移動局１０２にＩＡＮ−ＬＩＮＫ−ＡＴＴＡＣＨメッセージを送信する。なお、ステップｂとステップｅの間、移動局と構内基地局１２８との間のリンクは失われても再度確立されることに留意されたい。ステップｆで、移動局１０２は構内基地局１２８にＩＡＮ−ＲＥＧＩＳＴＥＲメッセージを送信する。ステップｇで、構内基地局１２８は移動局１０２がまだ活動状態であると考え、移動局１０２にＩＡＮ−ＲＥＧＩＳＴＥＲ−ＡＣＫメッセージを送信し、構内ネットワーク制御装置１３２には通知しない。構内基地局１２８は以前に記憶したＩＡＮ−Ｓｙｓｔｅｍ−Ｉｎｆｏｒｍａｔｉｏｎパラメータを含む。ステップｈで、移動局は移動管理手順がもはや必要ないと判定する。ステップｉで、ＩＡＮアプリケーションはＧＳＭ  ＭＭ手順を一時停止し、ＩＡＮ空きモード動作を開始する。
【００９１】
図２１は、空きモードで、構内基地局１２８および移動局１３２が、ＩＡＮ接続が失われたことを検出し、タイマＴ１とＴ２の両方が満了した場合の通常の成功例に含まれるデタッチおよび登録解除メッセージ・フローの一実施形態を示す図である。ステップａで、移動局１０２はＩＡＮ空きモード動作状態である。ステップｂで、構内基地局１２８は移動局１０２から受信した信号がＩＡＮサービスでもはや使用できないと判定する。構内基地局１２８は移動局１０２にＩＡＮ−ＬＩＮＫ−ＤＥＴＡＣＨメッセージを送信する。移動局はタイマＴ１を起動する。構内基地局１２８がＩＡＮ−ＬＩＮＫ−ＤＥＴＡＣＨを送信する前にリンクが失われている場合、移動局１０２および構内基地局１２８はそれぞれタイマＴ１およびＴ２を起動する。ステップｃで、移動局１０２と構内基地局１２８との間のリンクが失われる。構内基地局１２８はタイマＴ２を起動する。ステップｄで、タイマＴ１は移動局１０２で満了する。ステップｅで、ＩＡＮアプリケーションは移動局１０２に通常のＧＳＭ  ＭＭ動作を再開するように命令する。移動局１０２はＩＡＮ  ＩＢＳと同じＬＡＩを有するＧＳＭセルを選択する。したがって、ロケーション更新の必要はない。移動局１０２はまたＧＳＭ受信可能範囲がないことを検出できる。この場合、通常のＧＳＭ手順を実行する。ステップｆで、タイマＴ２は構内基地局１２８で満了する。ステップｇで、構内基地局１２８は構内ネットワーク制御装置１３２に登録解除の理由（すなわち、ＩＡＮリンクが失われたこと）を含むＩＡＮ−ＤＥＲＥＧＩＳＴＥＲメッセージを送信する。構内基地局１２８は移動局１０２に割り当てられたいかなるリソースも解放する。構内ネットワーク制御装置１３２は移動局の状態を「非活動」または同様の状態に変更する。ＧＳＭネットワークからの移動局１０２の後続ページ要求は無視される。
【００９２】
図２２は、ＩＡＮ広帯域アーキテクチャの音声ベアラ確立のチャネル起動および割り当て要求メッセージ・フローのある実施形態を示す図である。図２３は、ＩＡＮハイブリッド・アーキテクチャの同様のケースのある実施形態を示す図である。構内ネットワーク制御装置１３２はＭＳＣ１１６と構内基地局１２８との間のベアラ・パスの交換接続を可能にする信号網間接続機能を提供する。
【００９３】
一実施形態では、ＭＳＣ１１６と移動局１０２との間の音声ベアラの確立はＩＡＮ広帯域アーキテクチャ・ソリューションの３つの段階で実行される。第１に、構内ネットワーク制御装置１３２はＡインタフェース回線割り当てプロセスでＭＳＣ１１６によって割り当てられたＭＳＣ−ＩＮＣ回線への接続を確立する。広帯域アーキテクチャでは、これはＴＤＭ−ＶｏＩＰ接続で、ＭＳＣ１１６へのＴＤＭチャネルを構内基地局１２８へのＶｏＩＰチャネルに変換する。第２に、構内ネットワーク制御装置１３２はステップ１で確立したＶｏＩＰチャネルへのＶｏＩＰ接続を確立するように命令するメッセージを構内基地局１２８に送信する。最後に、構内基地局１２８は非ライセンス・エア・インタフェース上に音声リンクを確立するように移動局１０２に命令し、構内基地局１２８はこのチャネルをステップ２で確立したチャネルに接続する。移動局１０２から構内基地局１２８、構内ネットワーク制御装置１３２、ＭＳＣ１１６に肯定応答が返送され、プロセスが終了する。
【００９４】
図２２〜図２３に示す両方のケースで、移動局１０２と構内ネットワーク制御装置１３２との間でＧＳＭ移動局発信および移動局着信音声呼の信号が交換され、構内ネットワーク制御装置１３２と構内基地局１２８との間のＩＡＮセキュアトンネル上を流れる。構内ネットワーク制御装置１３２はこの信号方式とＡインタフェース信号方式との間の必要な網間接続をＭＳＣ１１６に提供する。呼設定プロセス時に、ＭＳＣ１１６はＡインタフェース上でＢＳＳＡＰ  Ａｓｓｉｇｎｍｅｎｔ−Ｒｅｑｕｅｓｔメッセージを構内ネットワーク制御装置１３２に送信する。ＭＳＣ１１６と構内ネットワーク制御装置１３２との間のＤＳ０パスを識別する回線識別符号（ＣＩＣ）がこのメッセージ内に提供される。ＤＳ０は構内ネットワーク制御装置１３２内の媒体ゲートウェイ要素に着信する。広帯域のケースでは、ＢＳＳＡＰ  Ａｓｓｉｇｎｍｅｎｔ  Ｒｅｑｕｅｓｔメッセージを受信すると、構内ネットワーク制御装置１３２はＡｓｓｉｇｎｍｅｎｔ  Ｒｅｑｕｅｓｔメッセージを構内基地局１２８に関連するＩＰアドレスへのｖｏｉｃｅ  ｏｖｅｒ  ＩＰ（ＶｏＩＰ）呼設定要求に変換する。構内ネットワーク制御装置１３２は構内基地局１２８にＩＢＳＭＡＰ−ＡＣＴＩＶＡＴＥ−ＣＨメッセージを送信する。このメッセージは構内基地局１２８内でＶｏＩＰチャネルの確立をトリガする。構内基地局１２８は移動局１０２にＩＡＮ−ＡＣＴＩＶＡＴＥ−ＣＨメッセージを送信し、エア・インタフェース上での音声リンクの確立をトリガする。移動局１０２は構内基地局１２８に肯定応答（ＩＡＮ−ＡＣＴＩＶＡＴＥ−ＣＨ−ＡＣＫ）を送信し、構内基地局１２８は構内ネットワーク制御装置１３２に肯定応答（ＩＢＳＭＡＰ−ＡＣＴＩＶＡＴＥ−ＣＨ−ＡＣＫ）を送信する。構内ネットワーク制御装置１３２は、構内基地局１２８からのＩＢＳＭＡＰ−ＡＣＴＩＶＡＴＥ−ＣＨ−ＡＣＫメッセージをＢＳＳＡＰ  Ａｓｓｉｇｎｍｅｎｔ  Ｃｏｍｐｌｅｔｅメッセージに変換し、プロセスを完了する。
【００９５】
図２３のハイブリッドのケースを参照すると、構内ネットワーク制御装置１３２はＡｓｓｉｇｎｍｅｎｔ−Ｒｅｑｕｅｓｔメッセージを構内基地局１２８に関連するＰＳＴＮ電話番号へのＩＳＵＰ呼設定要求に変換する。構内基地局１２８は呼に応答し（すなわち、オフフックし）、構内ネットワーク制御装置１３２はＩＳＵＰ応答信号をＢＳＳＡＰ  Ａｓｓｉｇｎｍｅｎｔ−Ｃｏｍｐｌｅｔｅメッセージに変換する。ＩＳＵＰ信号方式を使用するとこの接続を１秒以内の時間枠で実行させることができる。構内ネットワーク制御装置１３２のアプリケーション・サーバ・サブシステムはＭＧＣＰまたはＭｅｇａｃｏ（Ｈ．２４８）信号方式を介して媒体ゲートウェイサブシステムを制御し、ＭＳＣからのＴＤＭ回線とＰＳＴＮへのＴＤＭ回線の交換を提供する。
【００９６】
図２４を参照すると、一実施形態では、ハイブリッド手法でさらなる構内ネットワーク制御装置最適化がサポートされる。音声ベアラはＭＳＣ１１６からの構内ネットワーク制御装置１３２内のＴＤＭ  ＤＳ０回線および構内ネットワーク制御装置１３２からＰＳＴＮ（または潜在的にはＰＬＭＮ内の中継交換局）へのＴＤＭ  ＤＳ０回線の形式である。したがって、図２４に示すように、媒体ゲートウェイ機能は不要である。この場合、構内ネットワーク制御装置１３２はＡインタフェースＢＳＳＡＰプロトコルとＩＳＵＰプロトコルの間の信号の網間接続のみを実行する。この戦略はＭＳＣ１１６が回線割り当て（ＤＳ０の割り当て）機能を提供するように構成されていることを前提とする。これは、ＢＳＣがこの機能を提供する代替形態とは逆に、ＧＳＭネットワーク内の通常の動作モード（非リモートＭＳＣトランスコーダ動作）である。回線はＭＳＣ１１６のプール内に割り当てられる。構内ネットワーク制御装置１３２のサポートには回線のプールが必要である。これらのベアラ回線は当然構内ネットワーク制御装置１３２には直接接続されず、音声スイッチに接続される。ＭＳＣ１１６はＧＳＭ記述子（フル・レート、ハーフ・レートなど）をこのトランク・プールに割り当てる必要がある。構内ネットワーク制御装置のサポートでは、これらのチャネルはフル・レート・チャネルと同じように説明できる。しかし、この説明はＩＡＮシステムには妥当しない。ＩＡＮ呼の発信および着信にはトランスコーディングおよびレート・アダプテーション・ユニット（ＴＲＡＵ）リソースは必要ない。
【００９７】
図２５〜図２９はＩＡＮネットワークを介したさまざまな呼管理シナリオで含まれるメッセージ・フローを示す図である。
【００９８】
図２５は、構内ネットワーク制御装置１３２への登録、ＭＳＣ１１６へのサービス要求、割り当て要求、音声チャネルの確立、および接続を含む移動局発信呼の通常の成功例に含まれるメッセージ・フローを示す図である。ステップａで、移動局１０２は構内ネットワーク制御装置１３２上のＩＡＮサービス用に登録される。ステップｂで、ユーザは着信者番号（Ｂ）を入力または選択し、ＳＥＮＤを押す。ステップｃで、移動局はＩＡＮ−ＲＲ−ＲＥＱＵＥＳＴメッセージを用いて構内基地局１２８に論理ＩＡＮ−ＲＲセッションの確立を要求する。このメッセージはセッションに必要なリソース（すなわち、信号チャネルおよび音声チャネル）を含む。構内基地局１２８は要求を処理するのに必要なリソース（すなわち、エア・インタフェース・リソースおよび構内ネットワーク制御装置の接続）を提供できることを検証する。ステップｃで、構内基地局１２８はＩＡＮ−ＲＲセッション要求の受け入れを伝える。ステップｄで、移動局１０２は構内基地局１２８にＣＭ−ＳＥＲＶＩＣＥ−ＲＥＱＵＥＳＴメッセージを送信する。構内基地局１２８はこのメッセージをＩＢＳＡＰメッセージに載せて構内ネットワーク制御装置１３２に中継する。ＩＢＳＡＰヘッダは構内ネットワーク制御装置１３２内の移動局１０２のＩＡＮレコードにアクセスするための移動局識別を含む。構内ネットワーク制御装置１３２はＤＴＡＰ  ＣＭ−ＳＥＲＶＩＣＥ−ＲＥＱＵＥＳＴメッセージを組み立てる。含まれる識別子は移動局が提供する識別子である。このメッセージはＢＳＳＭＡＰ  ＣＯＭＰＬＥＴＥ−ＬＡＹＥＲ−３−ＩＮＦＯメッセージ内にカプセル化され、ＭＳＣ１１６に送信される。オプションのステップｅで、ＭＳＣ１１６は標準ＧＳＭ認証手順を開始できる。
【００９９】
ステップｆで、暗号化が必要ない場合、ＭＳＣ１１６はＣＭ−ＳＥＲＶＩＣＥ−ＡＣＣＥＰＴメッセージを介してサービスの受付けを伝える。構内ネットワーク制御装置１３２はこのメッセージを移動局１０２に中継する。手順はステップｇに続く。ＭＳＣの観点から（図示せず）暗号化が必要な場合、ＭＳＣ１１６はＥｎｃｒｙｐｔｉｏｎ  Ｉｎｆｏｒｍａｔｉｏｎパラメータを含むＢＳＳＭＡＰ  ＣＩＰＨＥＲ−ＭＯＤＥ−ＣＯＭＭＡＮＤメッセージを構内ネットワーク制御装置１３２に送信する。構内ネットワーク制御装置１３２はＣＩＰＨＥＲ−ＭＯＤＥ−ＣＯＭＭＡＮＤメッセージに載せてこれを移動局１０２に中継する。移動局１０２はＣＩＰＨＥＲ−ＭＯＤＥ−ＣＯＭＰＬＥＴＥメッセージで応答し、ＣＩＰＨＥＲ−ＭＯＤＥ−ＣＯＭＰＬＥＴＥメッセージを構内ネットワーク制御装置１３２はＭＳＣ１１６へのＢＳＳＭＡＰ  ＣＩＰＨＥＲ−ＭＯＤＥ−ＣＯＭＰＬＥＴＥメッセージ内にカプセル化する。移動局１０２はＣｉｐｈｅｒ  Ｍｏｄｅ  Ｓｅｔｔｉｎｇを記憶する。なお、これは呼がその後ＧＳＭにハンドオーバされる場合に暗号化を可能にするためだけに必要であることに留意されたい。ＧＳＭ暗号化要求によってＩＡＮ呼のＧＳＭ暗号化は起動されない。ＢＳＳＭＡＰ  ＣＩＰＨＥＲ−ＭＯＤＥ−ＣＯＭＭＡＮＤメッセージが識別要求を含む場合（すなわち、Ｃｉｐｈｅｒ  Ｒｅｓｐｏｎｓｅ  ＭｏｄｅパラメータがＩＭＥＩＳＶ要求を示す場合）、移動局１０２はＣＩＰＨＥＲＩＮＧ−ＭＯＤＥ−ＣＯＭＰＬＥＴＥメッセージ内に移動局識別を含む。
【０１００】
ＣＭ−ＳＥＲＶＩＣＥ−ＡＣＣＥＰＴメッセージまたはＣＩＰＨＥＲ−ＭＯＤＥ−ＣＯＭＭＡＮＤメッセージの受信は、移動局１０２にＭＭ接続が確立されたことを示す。ステップｇで、ＭＭ接続が確立されたという確認を受信すると（すなわち、ＣＭ−ＳＥＲＶＩＣＥ−ＡＣＣＥＰＴを受信すると）、移動局１０２はＳＥＴＵＰメッセージを構内ネットワーク制御装置１３２に送信し、構内ネットワーク制御装置１３２はＭＳＣ１１６にＤＴＡＰ  ＳＥＴＵＰメッセージを中継する。Ｂｅａｒｅｒ  Ｃａｐａｂｉｌｉｔｙ  ＩＥは「音声」を示す。ステップｈで、ＤＴＡＰ  ＣＡＬＬ−ＰＲＯＣＥＥＤＩＮＧメッセージがＭＳＣ１１６から構内ネットワーク制御装置１３２に返送される。このメッセージは移動局に配信される。ステップｉで、ＢＳＳＭＡＰ  ＡＳＳＩＧＮＭＥＮＴ−ＲＥＱＵＥＳＴメッセージがＭＳＣ１１６から構内ネットワーク制御装置１３２に送信される。選択されたトランクの回線識別コード（ＣＩＣ）がこのメッセージに含まれている。ステップｊで、構内ネットワーク制御装置１３２はＣＩＣによって識別されたエンドポイントへの媒体ゲートウェイ接続を確立する。ステップｋで、構内ネットワーク制御装置１３２はＩＢＳＭＡＰ−ＡＣＴＩＶＡＴＥ−ＣＨメッセージを構内基地局１２８に送信する。このメッセージは構内基地局１２８内のＶｏＩＰチャネルの確立をトリガする。構内基地局１２８はＩＡＮ−ＡＣＴＩＶＡＴＥ−ＣＨメッセージを移動局１０２に中継し、移動局１０２と構内基地局１２８との間の音声リンク確立をトリガする。ステップｌで、移動局−ＩＢＳおよびＩＢＳ−ＩＮＣ音声チャネルが確立され、構内ネットワーク制御装置１３２と移動局１０２の間に音声パスが存在する。
【０１０１】
ステップｍで、移動局はＩＡＮ−ＡＣＴＩＶＡＴＥ−ＣＨ−ＡＣＫメッセージを構内基地局１２８に返送し、構内基地局１２８はＩＢＳＭＡＰ−ＡＣＴＩＶＡＴＥ−ＣＨ−ＡＣＫメッセージを構内ネットワーク制御装置１３２に返送する。構内ネットワーク制御装置１３２はＢＳＳＭＡＰ  ＡＳＳＩＧＮＭＥＮＴ−ＣＯＭＰＬＥＴＥメッセージをＭＳＣ１１６に送信する。ＭＳＣ１１６と移動局１０２の間にエンド・ツー・エンド・ベアラ・パスが確立される。ステップｎで、ＭＳＣ１１６はＢ加入者アドレスを用いてＩＳＵＰ  ＩＡＭを組み立て、被呼者の宛先交換機ＰＳＴＮ２５０５に向けて送信する。ステップｏで、宛先交換機はＩＳＵＰ  ＡＣＭメッセージで応答する。ＭＳＣ１１６はＤＴＡＰ  ＡＬＥＲＴＩＮＧまたはＰＲＯＧＲＥＳＳメッセージを構内ネットワーク制御装置１３２に送信する。このメッセージは移動局１０２に伝搬される。例えば、移動局１０２に発呼者に呼び出し信号を提供させるのにＡＬＥＲＴＩＮＧが使用される。例えば、ネットワークから呼び出し信号が帯域内で利用可能であることを移動局に知らせるためにＰＲＯＧＲＥＳＳが使用される。いずれにせよ、ユーザには呼び出し音が聞こえる。ステップｐで、被呼者が応答し、宛先交換機はこれをＩＳＵＰ  ＡＣＭメッセージで示す。ＭＳＣ１１６はＤＴＡＰ  ＣＯＮＮＥＣＴメッセージを構内ネットワーク制御装置１３２に送信する。次にこのメッセージは移動局１０２に配信される。ステップｑで、肯定応答のチェーンが返送され、各ホップで双方向パスが完了する。ステップｒで、エンドツーエンドの双方向パスが配置され、音声通信が開始する。
【０１０２】
図２６は、移動局着信ＩＡＮモード呼の通常の成功例に含まれるメッセージ・フローを示す図である。ステップａは移動局１０２が構内ネットワーク制御装置１３２上のＩＡＮサービス用に登録されていることを示す。ステップｂで、ＧＭＳＣはＩＡＮ加入者に宛てたＡ加入者からの呼をＰＳＴＮ２５０５から受信する。
【０１０３】
ステップｃで、ＧＭＳＣ２６０５はルーティングのためのホーム・ロケーション・レジスタ（ＨＬＲ）２６１０に照会し、ＭＡＰ  Ｓｅｎｄ−Ｒｏｕｔｉｎｇ−Ｉｎｆｏｒｍａｔｉｏｎ要求メッセージを送信する。ＨＬＲ２６１０はＭＡＰ  Ｐｒｏｖｉｄｅ−Ｒｏａｍｉｎｇ−Ｎｕｍｂｅｒ要求メッセージを用いて現在サービスを提供しているＭＳＣ１１６に照会する。ステップｄで、ＭＳＣ１１６はローミング番号、ＭＳＲＮをＭＡＰ  Ｐｒｏｖｉｄｅ−Ｒｏａｍｉｎｇ−Ｎｕｍｂｅｒ応答メッセージに載せて返送し、ＨＬＲ２６１０はこれをＭＡＰ  Ｓｅｎｄ−Ｒｏｕｔｉｎｇ−Ｉｎｆｏｒｍａｔｉｏｎ応答メッセージに載せてＧＭＳＣ２６０５に中継する。ステップｅで、ＧＭＳＣ２６０５は呼をＭＳＣ１１６に中継する。ステップｆで、ＭＳＣ１１６はＢＳＳＭＡＰＰＡＧＩＮＧメッセージを構内ネットワーク制御装置を含むロケーション・エリア内のすべてのＢＳＣに送信する。構内ネットワーク制御装置１３２はＰＡＧＩＮＧメッセージ内のＩＭＳＩに対応するユーザＩＡＮレコードを取り出す。レコードがみつからない場合、またはレコードは見つかったがユーザが活動状態でない場合、構内ネットワーク制御装置１３２はＰＡＧＩＮＧメッセージを無視する。そうでない場合、構内ネットワーク制御装置１３２はＩＡＮ−ＰＡＧＩＮＧ−ＲＥＱＵＥＳＴメッセージを移動局に送信する。ステップｇで、移動局はＩＡＮ―ＲＲ−ＲＥＱＵＥＳＴメッセージを用いて構内基地局１２８に論理ＩＡＮ−ＲＲセッションの確立を要求する。このメッセージはセッションに必要なリソース（すなわち、信号チャネルおよび音声チャネル）を含む。構内基地局１２８は、要求を処理するのに必要なリソース（すなわち、エア・インタフェース・リソースおよび構内ネットワーク制御装置接続機能）を提供できることを検証する。ステップｈで、構内基地局１２８はＩＡＮ−ＲＲセッション要求を受け付けたことを伝える。ステップＩで、移動局はＩＡＮ−ＰＡＧＩＮＧ−ＲＥＳＰＯＮＳＥメッセージを構内ネットワーク制御装置に送信する。ステップｊで、オプションとして、ＭＳＣ１１６は標準のＧＳＭ認証手順を開始することができる。ＭＳＣ１１６の観点から（図示せず）暗号化が必要な場合、ＭＳＣ１１６はＥｎｃｒｙｐｔｉｏｎ  Ｉｎｆｏｒｍａｔｉｏｎパラメータを含むＢＳＳＭＡＰ  ＣＩＰＨＥＲ−ＭＯＤＥ−ＣＯＭＭＡＮＤメッセージを構内ネットワーク制御装置１３２に送信する。構内ネットワーク制御装置１３２はＣＩＰＨＥＲ−ＭＯＤＥ−ＣＯＭＭＡＮＤメッセージに載せてこれを移動局に中継する。移動局１０２はＣＩＰＨＥＲ−ＭＯＤＥ−ＣＯＭＰＬＥＴＥメッセージで応答し、ＣＩＰＨＥＲ−ＭＯＤＥ−ＣＯＭＰＬＥＴＥメッセージを構内ネットワーク制御装置１３２はＭＳＣ１１６へのＢＳＳＭＡＰ  ＣＩＰＨＥＲ−ＭＯＤＥ−ＣＯＭＰＬＥＴＥメッセージ内にカプセル化する。移動局はＣｉｐｈｅｒ  Ｍｏｄｅ  Ｓｅｔｔｉｎｇを記憶する。なお、これは呼がその後ＧＳＭにハンドオーバされる場合に暗号化を可能にするためだけに必要であることに留意されたい。ＧＳＭ暗号化要求によってＩＡＮ呼のＧＳＭ暗号化は起動されない。ＢＳＳＭＡＰ  ＣＩＰＨＥＲ−ＭＯＤＥ−ＣＯＭＭＡＮＤメッセー���が識別要求を含む場合（すなわち、Ｃｉｐｈｅｒ  Ｒｅｓｐｏｎｓｅ  ＭｏｄｅパラメータがＩＭＥＩＳＶ要求を示す場合）、移動局１０２はＣＩＰＨＥＲＩＮＧ−ＭＯＤＥ−ＣＯＭＰＬＥＴＥメッセージ内に移動局識別を含む。
【０１０４】
ステップｋで、ＭＳＣはＤＴＡＰ  ＳＥＴＵＰメッセージを構内ネットワーク制御装置に送信する。構内ネットワーク制御装置１３２はこのメッセージを移動局１０２に中継する。ステップｌで、ＳＥＴＵＰメッセージを受信すると、移動局はＣＡＬＬ−ＣＯＮＦＩＲＭＥＤメッセージを構内ネットワーク制御装置１３２に送信する。ＤＴＡＰ  ＣＡＬＬ−ＣＯＮＦＩＲＭＥＤメッセージは構内ネットワーク制御装置１３２によってＭＳＣ１１６に返送される。ステップｉ〜ｍは図２４と同じである。ステップｒで、ユーザは呼び出される。移動局１０２は構内ネットワーク制御装置１３２にＡＬＥＲＴＩＮＧメッセージを送信してユーザが呼び出し中であることを示す。構内ネットワーク制御装置１３２はこれをＤＴＡＰ  ＡＬＥＲＴＩＮＧメッセージに変換し、ＭＳＣ１１６はＩＳＵＰ  ＡＣＭメッセージをＧＭＳＣに返送し、ＧＭＳＣはＡＣＭを発信元交換機に転送する。ステップｓで、ユーザは応答する。移動局１０２はＣＯＮＮＥＣＴメッセージを構内ネットワーク制御装置１３２に送信してユーザが応答したことを示す。構内ネットワーク制御装置１３２はこれをＤＴＡＰ  ＣＯＮＮＥＣＴメッセージに変換し、ＭＳＣ１１６はＩＳＵＰ  ＡＮＭメッセージをＧＭＳＣに返送し、ＧＭＳＣはＡＮＭを発信元交換機に転送する。ステップｔで、肯定応答のチェーンが返送され、各ホップで双方向パスが完了する。ステップｕで、エンドツーエンドの双方向パスが配置され、音声通信が開始する。
【０１０５】
図２７〜図２８は、ＩＡＮ加入者による呼の解放の例を示す図である。図２７は、ＩＡＮモード呼が移動局１０２によって解放される場合の通常の成功例に含まれるメッセージ・フローを示す図である。ステップａで、ＩＡＮ加入者は呼を終了する（例えば、ＥＮＤボタンを押して）。移動局１０２はＤＩＳＣＯＮＮＥＣＴメッセージを構内ネットワーク制御装置１３２に送信し、構内ネットワーク制御装置１３２はＤＴＡＰ  ＤＩＳＣＯＮＮＥＣＴメッセージをＭＳＣ１１６に中継する。ＭＳＣ１１６は相手方に向けてＩＳＵＰ  ＲＥＬＥＡＳＥメッセージを送信する。ステップｂで、ＭＳＣ１１６はＤＴＡＰ  ＲＥＬＥＡＳＥメッセージを構内ネットワーク制御装置１３２に送信する。構内ネットワーク制御装置１３２はこれを移動局１０２に中継する。ステップｃで、移動局１０２はＲＥＬＥＡＳＥ−ＣＯＭＰＬＥＴＥメッセージを構内ネットワーク制御装置１３２に送信し、構内ネットワーク制御装置１３２はＤＴＡＰ  ＲＥＬＥＡＳＥ−ＣＯＭＰＬＥＴＥメッセージをＭＳＣに中継する。この時点で、ＭＳＣ１１６は接続が解放されたと考える。ＭＳＣ１１６は相手方の交換機からＩＳＵＰ  ＲＬＣメッセージを受信しているはずである。ステップｄで、ＭＳＣ１１６は、旧リソースを解放する要求を示すＢＳＳＭＡＰ  ＣＬＥＡＲ  ＣＯＭＭＡＮＤを構内ネットワーク制御装置１３２に送信する。ＳＣＣＰ  Ｃｏｎｎｅｃｔｉｏｎ  Ｉｄｅｎｔｉｆｉｅｒを用いて対応する呼を決定できる。ステップｅで、構内ネットワーク制御装置１３２は呼に関連するＩＮＣからＭＳＣへの回線を解放する。ステップｆで、構内ネットワーク制御装置１３２はＢＳＳＭＡＰ  ＣＬＥＡＲ−ＣＯＭＰＬＥＴＥメッセージに載せて解放をＭＳＣ１１６に肯定応答する。構内ネットワーク制御装置１３２とＭＳＣ１１６との間の呼に関連するＳＣＣＰ接続は解放される（信号方式は図示せず）。ステップｇで、構内ネットワーク制御装置１３２はＩＡＮ−ＲＲ−ＲＥＬＥＡＳＥメッセージを構内基地局１２８に送信する。構内基地局１２８はこのメッセージを移動局１０２に中継する。ステップｈで、移動局１０２と構内基地局１２８は呼に割り当てられた音声チャネルとその他のリソースを解放する。ステップｉで、移動局１０２は構内基地局１２８へのＩＡＮ−ＲＲ−ＲＥＬＥＡＳＥメッセージで呼の解放を確認し、構内基地局１２８はこのメッセージを構内ネットワーク制御装置１３２に中継する。
【０１０６】
図２８は、ＩＡＮモード呼が当該呼の非ＩＡＮの相手方によって解放された場合の通常の成功例に含まれるメッセージ・フローを示す図である。ステップａを参照すると、相手方が呼を終了する（例えば、電話を切ることで）。ＭＳＣ１１６は相手方の交換機からＩＳＵＰ  ＲＥＬＥＡＳＥメッセージを受信する。ＭＳＣ１１６はＤＴＡＰ  ＤＩＳＣＯＮＮＥＣＴメッセージを構内ネットワーク制御装置１３２に送信し、構内ネットワーク制御装置１３２はＤＩＳＣＯＮＮＥＣＴメッセージを移動局１０２に中継する。ステップｂで、移動局１０２はＲＥＬＥＡＳＥメッセージを構内ネットワーク制御装置１３２に送信する。構内ネットワーク制御装置１３２はこれをＤＴＡＰ  ＲＥＬＥＡＳＥメッセージに載せてＭＳＣ１１６に中継する。ＭＳＣ１１６は相手方に向けてＩＳＵＰ  ＲＬＣメッセージを送信する。ステップｃで、ＭＳＣ１１６はＤＴＡＰ  ＲＥＬＥＡＳＥ−ＣＯＭＰＬＥＴＥメッセージを構内ネットワーク制御装置１３２に送信し、構内ネットワーク制御装置１３２はＲＥＬＥＡＳＥ−ＣＯＭＰＬＥＴＥメッセージを移動局１０２に中継する。ステップｄ〜ｉは図２７の説明と同様である。
【０１０７】
本発明の実施形態によって、補足ＧＳＭサービスを提供することができる。ＧＳＭは多数のサービスを標準化している。発呼、着呼以外に、ＩＡＮシステムで以下のサービスをサポートしなければならない。サービス標準（段階３）、ショート・メッセージ・サービス０４．１１、補足サービス制御０４．８０、発信者番号通知（ＣＬＩＰ）０４．８１、発信者番号通知規制（ＣＬＩＲ）０４．８１、接続先番号通知（ＣｏＬＰ）０４．８１、接続先番号通知規制（ＣｏＬＲ）０４．８１、無条件転送０４．８２、話中転送０４．８２、不応答転送０４．８２、不在転送０４．８２、コール・ウェイティング（ＣＷ）０４．８３、呼の保留（ＣＨ）０４．８３、マルチパーティ（ＭＰＴＹ）０４．８４、クローズド・ユーザ・グループ（ＣＵＧ）０４．８５、料金情報通知（ＡｏＣ）０４．８６、ユーザ・ユーザ信号（ＵＵＳ）０４．８７、発信規制（ＣＢ）０４．８８、明示的転送（ＥＣＴ）０４．９１、および名前表示０４．９６．
【０１０８】
これらの補足サービスは移動局１０２とＭＳＣ１１６の間でエンドツーエンドに実行される手順を含む。ＭＯおよびＭＴ呼について上述した基本ＧＳＭ０４．０８直接転送アプリケーション部（ＤＴＡＰ）メッセージ以外に、以下の０４．０８ＤＴＡＰメッセージがこれらの追加補足サービスのために使用される。ＣＰ−ＤＡＴＡ、ＣＰ−ＡＣＫ、ＣＰ−ＥＲＲＯＲ、ＲＥＧＩＳＴＥＲ、ＦＡＣＩＬＩＴＹ、ＨＯＬＤ、ＨＯＬＤ−ＡＣＫＮＯＷＬＥＤＧＥ、ＨＯＬＤ−ＲＥＪＥＣＴ、ＲＥＴＲＩＥＶＥ、ＲＥＴＲＩＥＶＥ−ＡＣＫＮＯＷＬＥＤＧＥ、ＲＥＴＲＩＥＶＥ−ＲＥＪＥＣＴ、ＲＥＴＲＩＥＶＥ−ＲＥＪＥＣＴ、ＲＥＴＲＩＥＶＥ−ＲＥＪＥＣＴ、ＲＥＴＲＩＥＶＥ−ＲＥＪＥＣＴ、ＵＳＥＲ−ＩＮＦＯＲＭＡＴＩＯＮ、ＣＯＮＧＥＳＴＩＯＮ−ＣＯＮＴＲＯＬ。これらのＤＴＡＰメッセージは、他の呼制御および移動管理の実施形態と同じ方法で、構内基地局１２８と構内ネットワーク制御装置１３２によって移動局１０２とＭＳＣ１１６の間で中継される。
【０１０９】
図２９は、補足ＧＳＭサービスを提供するメッセージ・フローの一実施形態を示す図である。ステップａを参照すると、進行中の呼について移動局１０２とＭＳＣ１１６との間にＭＭ接続が確立される。ステップｂで、ユーザは特定の補足サービス動作（例えば、呼を保留するなど）を要求する。ステップｃで、移動局１０２はＫ１インタフェースを介してＨＯＬＤメッセージを構内基地局１２８に送信する。構内基地局１２８はＫ２インタフェースを介してＨＯＬＤメッセージを構内ネットワーク制御装置１３２に中継する。構内ネットワーク制御装置１３２はＡインタフェースを介してＤＴＡＰ  ＨＯＬＤメッセージをＭＳＣ１１６に中継する。ステップｄで、同様の方法で、ＤＴＡＰ  ＨＯＬＤ−ＡＣＫメッセージがＭＳＣ１１６から移動局１０２に送信される。ステップｅで、呼の進行中に、ユーザは別の補足サービス動作（例えば、マルチパーティ呼の開始）を要求する。ステップｆで、移動局はＫ１インタフェースを介してＦＡＣＩＬＩＴＹメッセージを構内基地局１２８に送信する。構内基地局１２８はＫ２インタフェースを介してＦＡＣＩＬＩＴＹメッセージを構内ネットワーク制御装置１３２に中継する。構内ネットワーク制御装置１３２はＡインタフェースを介してＤＴＡＰ  ＦＡＣＩＬＩＴＹメッセージをＭＳＣ１１６に中継する。ステップｇで、同様の方法で、応答を含むＤＴＡＰ  ＦＡＣＩＬＩＴＹメッセージがＭＳＣ１１６から移動局１０２に送信される。
【０１１０】
本発明の実施形態は、さまざまなコンピュータで実施される動作を実行するコンピュータ・コードを記憶したコンピュータ可読媒体を備えたコンピュータ記憶プロダクトに関することが理解されよう。媒体およびコンピュータ・コードは本発明のために特に設計・構成されたものでもよく、またはコンピュータ・ソフトウェアの当業者がよく知っていて入手できる種類のものでもよい。コンピュータ可読媒体の例は、これに限定はされないが、ハード・ディスク、フロッピー（登録商標）・ディスク、および磁気テープなどの磁気媒体、ＣＤ−ＲＯＭおよびホログラフィック・デバイスなどの光媒体、光ディスクなどの光磁気媒体、および特定用途向け集積回路（「ＡＳＩＣ」）、プログラマブル論理デバイス（「ＰＬＤ」）、ならびにＲＯＭおよびＲＡＭデバイスなどのプログラム・コードを記憶して実行するように特に構成されたハードウェア・デバイスである。コンピュータ・コードの例は、コンパイラが生成する機械語、およびインタープリタを用いてコンピュータが実行する上位レベルのコードを含むファイルを含む。例えば、本発明のある実施形態は、Java（登録商標）、Ｃ＋＋、またはその他のオブジェクト指向プログラミング言語および開発ツールを用いて実施できる。本発明の別の実施形態は、マシンで実行可能なソフトウェア命令の代わりの、またはそれと組み合わせたハードウェア回路で実施できる。
【０１１１】
以上の説明では、論旨を分かりやすくするために、本発明を完全に理解できるよう特定の用語を使用した。しかし、本発明を実施するために特定の具体例は必要ないことは当業者には明らかであろう。それ故、本発明の特定の実施形態についての上記記述は、本発明を図解し、説明するためのものである。上記説明は網羅的なものではなく、開示された形態そのものに本発明を限定するものではない。上記の教示から多数の修正および変形が可能であることは明らかである。実施形態は本発明の原理およびその実際の応用例を最もよく説明するために選択され記述されている。したがって、それらを用いて他の当業者は考えられる特定の使用に適するように本発明とさまざまな変更を加えたさまざまな実施形態とを最もよく活用することができる。以下の請求の範囲とその等価物とが本発明の範囲を定義する。
【０１１２】
【表１】
2006503500.tif 000003
2006503500.tif 000004
2006503500.tif 000005
2006503500.tif 000006
2006503500.tif 000007
【図面の簡単な説明】
【０１１３】
【図１Ａ】本発明の一実施形態による構内アクセス・ネットワーク（ＩＡＮ）移動体サービス・ソリューションの概要を示す図である。
【図１Ｂ】本発明の一実施形態による移動機のプロトコル・レイヤを示す図である。
【図１Ｃ】本発明の一実施形態によるプロトコル変換の方法を示す図である。
【図２】本発明の一実施形態による２つの構内アクセス・ネットワーク（ＩＡＮ）オプションを示す図である。
【図３】本発明の一実施形態による構内アクセス・ネットワーク（ＩＡＮ）広帯域アーキテクチャを示す図である。
【図４】本発明の一実施形態によるＩＡＮハイブリッド・アーキテクチャを示す図である。
【図５】本発明の一実施形態によるライセンス無線サービスおよび非ライセンス無線サービスのレベル１、レベル２、およびレベル３レイヤのＧＳＭ移動機の構成要素を示す図である。
【図６】本発明の一実施形態によるＧＳＭライセンス無線サービスおよび非ライセンス無線サービスのレベル１、レベル２、およびレベル３レイヤの移動機の構成要素を示す図である。
【図７Ａ】本発明の一実施形態によるＧＳＭ移動管理（ＭＭ）および接続管理（ＣＭ）信号方式とＩＡＮ専用信号方式とをサポートするＩＡＮプロトコル・アーキテクチャを示す図である。
【図７Ｂ】本発明の一実施形態による本発明の一実施形態によるＧＳＭ移動管理（ＭＭ）および接続管理（ＣＭ）信号方式とＩＡＮ専用信号方式とをサポートするＩＡＮプロトコル・アーキテクチャを示す図である。
【図８】本発明の一実施形態によるＧＳＭ音声伝送をサポートするＩＡＮプロトコル・アーキテクチャを示す図である。
【図９】本発明の一実施形態によるＧＰＲＳ移動機内のレベル１、レベル２、およびレベル３レイヤの構成要素を示す図である。
【図１０】本発明の一実施形態によるＧＰＲＳ移動機内のレベル１、レベル２、およびレベル３レイヤの構成要素を示す図である。
【図１１Ａ】本発明の一実施形態によるＧＰＲＳデータ送信をサポートするＩＡＮプロトコル・アーキテクチャを示す図である。
【図１１Ｂ】本発明の一実施形態によるＧＰＲＳデータ送信をサポートするＩＡＮプロトコル・アーキテクチャを示す図である。
【図１２】本発明の一実施形態による従来のＧＳＭ／ＧＰＲＳ登録エリア概念を示す図である。
【図１３】本発明の一実施形態によるライセンス無線ネットワークと非ライセンス無線ネットワークの登録エリアを示す図である。
【図１４】本発明の一実施形態によるライセンス無線ネットワークと非ライセンス無線ネットワークの登録エリアを示す図である。
【図１５】本発明の一実施形態によるいくつかの可能なＧＳＭおよびＩＡＮ受信可能範囲のシナリオを示す図である。
【図１６】本発明の一実施形態による、ＧＳＭおよびＩＡＮ受信可能範囲を備えたエリアで移動局が電源投入された場合の通常の成功例に含まれるメッセージ・フローの例を示す図である。
【図１７】本発明の一実施形態による、ＧＳＭおよびＩＡＮ受信可能範囲を備えたエリアで移動局が電源投入された場合の通常の成功例に含まれるメッセージ・フローの例を示す図である。
【図１８】本発明の一実施形態による、空きモードで電源が入った移動局がＧＳＭ受信可能範囲からＩＡＮ受信可能範囲に入った場合の通常の成功例に含まれるメッセージ・フローの例を示す図である。
【図１９】本発明の一実施形態による、電源が入った空き状態の移動局が、一時的な不在に続いてタイマＴ１の満了前にＩＡＮ受信可能範囲に再度入った場合の通常の成功例に含まれるメッセージ・フローの例を示す図である。
【図２０】本発明の一実施形態による、電源が入った移動局が、一時的な不在とタイマＴ１の満了に続いて、タイマＴ２の満了前にＩＡＮ受信可能範囲に再度入った場合の通常の成功例に含まれるメッセージ・フローの例を示す図である。
【図２１】本発明の一実施形態による、ＩＢＳおよび移動局がＩＡＮ接続が失われたことを検出し、タイマＴ１とＴ２の両方が満了した場合の通常の成功例に含まれるメッセージ・フローの例を示す図である。
【図２２】本発明の一実施形態によるＩＡＮ広帯域アーキテクチャの音声ベアラ確立の第１段階のメッセージ・フローの例を示す図である。
【図２３】本発明の一実施形態によるＩＡＮハイブリッド・アーキテクチャのベアラ確立の第１段階のメッセージ・フローの例を示す図である。
【図２４】本発明の一実施形態によるハイブリッド・アーキテクチャに関連する最適化されたＩＡＮ音声ベアラ確立プロセス内のメッセージ・フローの例を示す図である。
【図２５】本発明の一実施形態による移動局発信呼の通常の成功例に含まれるメッセージ・フローの例を示す図である。
【図２６】本発明の一実施形態による移動局着信呼の通常の成功例に含まれるメッセージ・フローの例を示す図である。
【図２７】本発明の一実施形態による、ＩＡＮモード呼がＩＡＮ移動局によって解放された場合の通常の成功例に含まれるメッセージ・フローの例を示す図である。
【図２８】本発明の一実施形態による、ＩＡＮモード呼が当該呼の非ＩＡＮの相手方によって解放された場合の通常の成功例に含まれるメッセージ・フローの例を示す図である。
【図２９】本発明の一実施形態による、ＤＴＡＰ補足サービス・メッセージの中継の一例を示す図である。
【符号の説明】
【０１１４】
１００  構内アクセス・ネットワークシステム
１０２  移動局                    １０４  第１のパス
１０６  無線チャンネル            １０８  基地トランシーバ局
１１２  基地局制御装置            １１４  音声／データ通信ネットワーク
１２４  第２のデータ・パス      １２６  非ライセンス無線チャンネル    １２８  構内基地局                １３０  アクセス・ネットワーク
１３２  構内ネットワーク制御装置  １４２  レイヤ１プロトコル・レイヤ
１４４  レイヤ２プロトコル・レイヤ  １４６  無線リソースサブレイヤ
１４８  移動管理サブレイヤ        １５０  呼管理レイヤ
１５２  非ライセンス無線サービス物理レイヤ
１５４  非ライセンス・リンク・レイヤ
１５６  非ライセンス無線リソース・サブレイヤ
１９０  基地局サブネットワークインタフェース
【図１Ａ】
2006503500.tif 000008
【図１Ｂ】
2006503500.tif 000009
【図１Ｃ】
2006503500.tif 000010
【図２】
2006503500.tif 000011
【図３】
2006503500.tif 000012
【図４】
2006503500.tif 000013
【図５】
2006503500.tif 000014
【図６】
2006503500.tif 000015
【図７Ａ】
2006503500.tif 000016
【図７Ｂ】
2006503500.tif 000017
【図８】
2006503500.tif 000018
【図９】
2006503500.tif 000019
【図１０】
2006503500.tif 000020
【図１１Ａ】
2006503500.tif 000021
【図１１Ｂ】
2006503500.tif 000022
【図１２】
2006503500.tif 000023
【図１３】
2006503500.tif 000024
【図１４】
2006503500.tif 000025
【図１５】
2006503500.tif 000026
【図１６】
2006503500.tif 000027
【図１７】
2006503500.tif 000028
【図１８】
2006503500.tif 000029
【図１９】
2006503500.tif 000030
【図２０】
2006503500.tif 000031
【図２１】
2006503500.tif 000032
【図２２】
2006503500.tif 000033
【図２３】
2006503500.tif 000034
【図２４】
2006503500.tif 000035
【図２５】
2006503500.tif 000036
【図２６】
2006503500.tif 000037
【図２７】
2006503500.tif 000038
【図２８】
2006503500.tif 000039
【図２９】
2006503500.tif 000040
【国際調査報告】
2006503500.tif 000041